(57)【特許請求の範囲】
【請求項１】
デジタル信号処理を行う変復調用の集積回路を含むデジタル部品と、
所定の周波数帯域の電力線通信信号を遮断するアナログ部品と、
第１の面に、前記デジタル部品が実装されると共に、前記第１の面と対向する第２の面に、前記アナログ部品および外部接続部が実装された基板と、を備え、
前記基板は、絶縁シートを介して積層された第１および第２の基板を具備し、
前記絶縁シート内部に、前記第１の面に実装されたデジタル部品の少なくとも１つに電気的に接続された内蔵回路部品を具備し、
前記第１の面に実装されたデジタル部品の少なくとも２つの端子が、前記内蔵回路部品としての抵抗を介して接続された電子回路装置。
【請求項２】
請求項１に記載の電子回路装置であって、
前記基板は、絶縁層を介して積層された複数の導電層を内部に有する積層基板で構成された電子回路装置。
【請求項３】
請求項１に記載の電子回路装置であって、
前記第１および第２の基板の少なくとも一方が、絶縁層を介して積層された複数の導電層を内部に有する積層基板で構成された電子回路装置。
【請求項４】
請求項１又は３に記載の電子回路装置であって、
前記第１の面に実装されたデジタル部品と前記内蔵回路部品とは貫通ビアを介して接続された電子回路装置。
【請求項５】
請求項１乃至４のいずれか一項に記載の電子回路装置であって、
前記第２の面に前記アナログ部品が実装されるとともに、
前記基板の第２の面に設けられ、実装基板に接続する接続部とを具備した電子回路装置
【請求項６】
請求項１乃至５のいずれか一項に記載の電子回路装置であって、
前記第１および第２の基板は前記絶縁シートよりも薄い電子回路装置。
【請求項７】
請求項１乃至６のいずれか一項に記載の電子回路装置であって、
前記アナログ部品のうち、発熱部品は、前記デジタル部品と平面的に対向する位置を避けて配置された電子回路装置。
【請求項８】
請求項７に記載の電子回路装置であって、
前記デジタル部品に当接する放熱部材を設けた電子回路装置。
【請求項９】
請求項１に記載の電子回路装置であって、
前記デジタル部品は、マルチキャリア信号の変調処理および復調処理の少なくとも一方を行う集積回路である電子回路装置。
【請求項１０】
請求項９に記載の電子回路装置であって、
前記マルチキャリア信号は、一対の線路を有する電力線に伝送可能な電力線通信信号である電子回路装置。
【請求項１１】
請求項１乃至１０のいずれか一項に記載の電子回路装置であって、
前記アナログ回路は平衡型フィルタである電子回路装置。
【請求項１２】
電力線通信を行う電力線通信装置であって、
請求項１０に記載の電子回路装置と、
前記電子回路装置から出力された電力線通信信号を前記電力線に伝送される交流電圧に重畳し、前記電力線に伝送される交流電圧から電力線通信信号を分離して前記電子回路装置に出力するカプラを備えた電力線通信装置。
【請求項１３】
請求項１乃至１０のいずれか一項に記載の電子回路装置であって、
前記基板は、
絶縁層を介して積層された複数の導電層を内部に有する第１の積層基板と、
絶縁層を介して積層された複数の導電層を内部に有し、前記第１の積層基板と異なる第２の積層基板と、
前記第１の積層基板と前記第２の積層基板との間に介在して、前記第１の積層基板と前記第２の積層基板を積層し、前記第１の積層基板と前記第２の積層基板を電気的に接続する導電路を備えた絶縁シートと、を備えた電子回路装置。
【請求項１４】
請求項１３に記載の電子回路装置であって、
前記絶縁シートは、無機フィラーと熱硬化性樹脂とを含む電子回路装置。
【請求項１５】
請求項１４に記載の電子回路装置であって、
前記絶縁シート中の無機フィラーの重量％は、７０重量％〜９５重量％である電子回路装置。
【請求項１６】
請求項４に記載の電子回路装置であって、
接続部が前記基板の一端近傍に設けられ、前記発熱部品が、前記接続部に対して対角線上の端縁部に設けられた電子回路装置。
【請求項１７】
請求項１６に記載の電子回路装置であって、
前記基板の第１の面に、放熱部材が設けられた電子回路装置。
【請求項１８】
請求項１に記載の電子回路装置であって、
前記基板の第１の面に、絶縁性の弾性部材を介して放熱部材が設けられた電子回路装置。
【請求項１９】
デジタル信号処理を行うデジタル部品と、
アナログ信号処理を行うアナログ部品と、
第１の面と、当該第１の面に対向する第２の面を有し、当該第１の面に前記デジタル部品を実装した第１の基板と、
前記第１の基板の第２の面に対向する第３の面と、当該第３の面に対向する第４の面とを有し、当該第４の面に前記アナログ部品を実装した第２の基板と、を有し、
前記第１の基板の第２の面と、前記第２の基板の第３の面とが所定の間隔を隔てて配置され、
前記第１の基板と前記第２の基板の間の空間には、絶縁シートが配置され、
前記絶縁シート内部に配置され、前記デジタル部品と接続される内蔵回路部品を備え、
前記内蔵回路部品は抵抗素子であり、
前記第１の基板の第１の面に実装された少なくとも２つのデジタル部品が、前記抵抗素子を介して接続された電子回路装置。
【請求項２０】
請求項１９に記載の電子回路装置であって、
前記第１の基板および前記第２の基板の少なくとも一方は、絶縁層を介して積層された複数の導電層を内部に有する積層基板で構成された電子回路装置。
【請求項２１】
請求項１９に記載の電子回路装置であって、
前記第１の基板には、当該第１の基板を貫通する導電路が設けられ、
前記第１の基板の第１の面に実装されたデジタル部品と前記内蔵回路部品は、前記導電路を介して接続された電子回路装置。
【請求項２２】
請求項１９乃至２１のいずれか一項に記載の電子回路装置であって、
前記第２の基板の第４の面には、他の実装基板と電気的に接続される接続部が設けられる電子回路装置。
【請求項２３】
請求項１９乃至２２のいずれか一項に記載の電子回路装置であって、
前記第１および第２の基板は前記絶縁シートよりも薄い電子回路装置。
【請求項２４】
請求項１９乃至２３のいずれか一項に記載の電子回路装置であって、
前記アナログ部品のうち、発熱部品は、前記デジタル部品と平面的に対向する位置を避けて配置された電子回路装置。
【請求項２５】
請求項２４に記載の電子回路装置であって、
前記デジタル部品に当接する放熱部材を設けた電子回路装置。
【請求項２６】
請求項１９に記載の電子回路装置であって、
前記デジタル部品は、マルチキャリア信号の変調処理および復調処理の少なくとも一方を行う集積回路である電子回路装置。
【請求項２７】
請求項２６に記載の電子回路装置であって、
前記マルチキャリア信号は、一対の線路を有する電力線に伝送可能な電力線通信信号である電子回路装置。
【請求項２８】
電力線通信を行う電力線通信装置であって、
請求項２７に記載の電子回路装置と、
前記電子回路装置から出力された電力線通信信号を前記電力線を伝送する交流電圧に重畳し、前記電力線に伝送される交流電圧から電力線通信信号を分離して前記電子回路装置に出力するカプラを備えた電力線通信装置。
【請求項２９】
請求項１９に記載の電子回路装置であって、
前記絶縁シートは、無機フィラーと熱硬化性樹脂を含む電子回路装置。
【請求項３０】
請求項２９に記載の電子回路装置であって、
前記絶縁シート中の無機フィラーの重量％は、７０重量％〜９５重量％である電子回路装置。
【請求項３１】
請求項２４に記載の電子回路装置であって、
接続部が前記第２の基板の一端近傍に設けられ、前記発熱部品が、前記接続部に対して略対角線上の端縁部に設けられた電子回路装置。
【請求項３２】
請求項２５に記載の電子回路装置であって、
前記放熱部材は、絶縁性の弾性部材を介して前記デジタル部品と接続される電子回路装置。
【請求項３３】
請求項２４に記載の電子回路装置であって、
接続部が前記第２の基板の一端近傍に設けられ、前記発熱部品が前記第２の基板の他の一端近傍に設けられた電子回路装置。
【発明の詳細な説明】
【技術分野】
【０００１】
本発明は、電子回路装置およびこれを用いた電力線通信装置にかかり、特に高速電力線通信（ＰＬＣ）などの、ノイズ対策の厳しい環境で用いられる半導体集積回路の放熱を考慮した実装構造に関する。
【背景技術】
【０００２】
電子部品の小型化への要求に伴い、半導体集積回路や回路部品を搭載した回路モジュールにおいては、多数の集積回路チップや回路部品を搭載する必要があり、配線スペースや、実装スペースの有効活用化への要求が高まっている。
特に光通信分野で用いられる信号はデジタル信号であるため、受光素子の出力に接続されるアナログ回路と、受信信号の同期をとるなどの目的で搭載されるデジタル回路とが、混載されている。このため、デジタル回路で発生するノイズによってアナログ回路の特性劣化を招くという問題があり、従来より種々の対策が考えられている。
【０００３】
その一例としてたとえば、接地された導体板を挟んで一方の面にアナログ回路を、他方の面にデジタル回路を配した構造が提案されている（特許文献１）。
この構成により、デジタル回路による電磁波ノイズは導体板により遮断され、アナログ回路に到達することはないため、ノイズの低減を図ることができる。また両面実装構成となるため、装置の小型化をはかることができる。
【０００４】
また、不要輻射ノイズの発生源となり易い多層回路基板においては、ＩＣ電源端子から発生した高周波電流がバイパスコンデンサを通過しないように、バイパスコンデンサ用電源配線の領域を狭くしたり、ＩＣ電源端子用電源パターンと外部電源用電源パターンとを空間的に分離して設けた構造とするなど、本出願人は種々の構造を提案している（特許文献２）。
【０００５】
特に、信号の変調および復調を行う変復調ＩＣは、多数の接地端子（パッド）が狭ピッチで配置されており、各接地端子が、実装基板上に接続される。実装基板としては、複数の配線層を、絶縁層を介して積層した積層基板が用いられる（特許文献３）。
このような積層基板においては、配線の引き回しをなるべく少なくすると共に、配線自体に起因するインピーダンスの低減をはかるために、通常、上記配線層のうち、電源線と接地線とは、プレート状に形成し、電源プレート、接地プレートとして積層基板内に埋め込むことによって、形成される。
【０００６】
【特許文献１】特開平４−２５２６２４号公報
【特許文献２】特開２００３−２９７９６３号公報
【特許文献３】特許第３３７５５５５号
【発明の開示】
【発明が解決しようとする課題】
【０００７】
近年、ＰＬＣ分野においては、平面的な占有面積だけでなく、垂直方向の距離も見過ごすことはできず、積層基板の厚さ方向の距離の増大による、インダクタンスの増大も少なからず問題となっている。このような状況の中で、配線長の微細化は進む一方であり、小型化が進み、従来の６０％程度の占有面積となっているだけでなく、部品の高密度化が大幅に進み、不要輻射ノイズはきわめて深刻な問題となっている。
【０００８】
本発明は、前記実情に鑑みてなされたもので、更なる装置の小型化、素子配置および配線の高密度化に際し、ノイズの伝播を抑制し、信頼性の高い電子回路装置およびこれを用いた電力線通信装置を提供することを目的とする。
【課題を解決するための手段】
【００１０】
また、本発明の電子回路装置では、デジタル信号処理を行う変復調用の集積回路を含むデジタル部品と、所定の周波数帯域の電力線通信信号を遮断するアナログ部品と、第１の面に、前記デジタル部品が実装されると共に、前記第１の面と対向する第２の面に、前記アナログ部品および外部接続部が実装された基板と、を備え、前記基板は、絶縁シートを介して積層された第１および第２の基板を具備し、前記絶縁シート内部に、前記第１の面に実装されたデジタル部品の少なくとも１つに電気的に接続された内蔵回路部品を具備し、前記第１の面に実装されたデジタル部品の少なくとも２つの端子が、前記内蔵回路部品としての抵抗を介して接続されたことを特徴とする。
この構成によれば、デジタル部品を第１の面に実装し、前記第１の面に対向する第２の面にアナログ部品を実装しており、第２の面が実装基板に対向する形態となるため、アナログ部品が、デジタル部品からのノイズの影響を低減することができ、ノイズの低減をはかり、信頼性の高い電子回路装置を提供することができる。なお、アナログ回路は平衡型フィルタであることが望ましい。
この構成によれば、回路部品を内蔵することで、第１の面に実装するデジタル部品間の間隔を最大限に小さくすることができ、デジタル部品と内蔵回路部品との接続のための配線も内蔵部分にとじこめることができる。デジタル部品間の距離を小さくすることで、デジタル部品間の配線長を短くすることができ、不要輻射発生の原因となる信号のループを小さくすることができる。従って不要輻射の低減を図ることができる。
この構成によれば、配線の特性インピーダンスと抵抗との不整合により、不要輻射が発生しても、抵抗が内蔵回路部品であるため、この配線も内蔵部分に閉じ込められており、不要輻射を基板内に閉じ込めることができる。また、デジタル部品相互間の接続配線も内蔵することができるだけでなく、積層基板内で内層として形成することができ、配線が容易となり、配線長も低減される。
【００１１】
また、本発明では、上記電子回路装置において、前記基板は、絶縁層を介して積層された複数の導電層を内部に有する積層基板で構成されたものを含む。この構成により、基板内部に設けられた導電層がデジタル部品から発生するノイズを遮蔽するので、第２の面に実装された平衡型フィルタが受ける当該ノイズによる影響をより低減することができる。
【００１３】
また、本発明では、上記電子回路装置において、前記第１および第２の基板の少なくとも一方が、絶縁層を介して積層された複数の導電層を内部に有する積層基板で構成されたものを含む。
【００１５】
また、本発明では、上記電子回路装置において、前記第１の面に実装されたデジタル部品と前記内蔵回路部品とは貫通ビアを介して接続されたものを含む。
この構成によれば、基板面に垂直な方向の配線となり、長さの低減をはかることができるだけでなく、不要輻射が発生したとしても、内層内を伝搬して放出されてしまい、電子回路装置への不要輻射の影響を低減することができる。
【００１６】
また、本発明では、上記電子回路装置において、前記第２の面に前記アナログ部品が実装されるとともに、前記基板の第２の面に設けられ、実装基板に接続する接続部とを具備したものを含む
【００１７】
また、本発明では、上記電子回路装置において、前記第１および第２の基板は前記絶縁シートよりも薄いものを含む。
この構成により、第１および第２の基板の熱膨張による応力を低減することができることから、基板と絶縁シートとの接合性の低下を抑制することができる。
【００１８】
また、本発明では、上記電子回路装置において、前記アナログ部品のうち、発熱部品は、前記デジタル部品と平面的に対向する位置を避けて配置されたものを含む。
この構成により、基板を介して伝達される熱の影響を回避することができる。
【００１９】
また、本発明では、上記電子回路装置において、前記発熱部品は増幅器（オペアンプ）であるものを含む。
この構成により、オペアンプは、発熱量が大きく、ノイズの影響を受け易いが、デジタル部品と平面的に相対向する位置を避けて配置されるため、基板を介して伝達される熱の影響を回避することができる。
【００２０】
また、本発明では、上記電子回路装置において、前記デジタル部品に当接する放熱部材を設けたものを含む。
この構成によれば、デジタル部品に当接する放熱部材を設けているため、この放熱部材が熱を強制的に放出する役割を果たすことになる。このため、基板の第１の面からは、デジタル部品からの発熱が効率よく放熱され、第２の面に、熱が流れ込むことはなく、熱による影響を遮断することができる。
【００２１】
また、本発明では、上記電子回路装置において、前記基板の第１の面に、絶縁性の弾性部材を介して放熱部材が設けられたものを含む。
この構成により、基板の第１の面に搭載される部品の高さをこの弾性部材で吸収でき密着性を高めることで、熱接触性を高めることができ、放熱性をより向上することができる。
【００２２】
また、本発明では、上記電子回路装置において、前記デジタル部品は、マルチキャリア信号の変調処理および復調処理の少なくとも一方を行うものを含む。なおここで変調・復調処理の両方を行う集積回路であっても有効である。
【００２３】
また、本発明では、上記電子回路装置において、前記マルチキャリア信号は、一対の線路を有する電力線に伝送可能な電力線通信信号であるものを含む。
この構成によれば、マルチキャリア信号の変調処理および復調処理の少なくとも一方を行うデジタル部品を、発熱部品と反対側の面に配しているため、熱の影響を低減することができる。
【００２４】
また、本発明では、上記電子回路装置において、前記第２の面に実装され、前記電力線通信信号について所定の周波数帯域を遮断するフィルタを更に備えたものを含む。である。
この構成によれば、マルチキャリア信号の変調処理および復調処理の少なくとも一方を行うデジタル部品とフィルタとが、基板の異なる表面にそれぞれ実装され、基板で相互に遮蔽された構造となっているため、デジタル部品によるノイズの影響がフィルタに到達するのを抑制することができる。また、この基板は積層基板を用いるようにすることで、より、第１の面と第２の面との遮蔽効果を高めることができる。また、絶縁層を介して積層された複数の導電層で構成された積層基板を用いることで、貫通ビアを用いることなく接地端子と接地層とを接続できるので、マルチキャリア信号処理により集積回路やフィルタの実装面積が大きくなったとしても、積層基板の両面を実装面として効率良く用いることが出来、その結果、電子回路装置の小型化を図ることが出来る。
【００２５】
また、本発明では、上記電子回路装置において前記フィルタは、前記一対の線路のそれぞれから見たインピーダンスがほぼ同一である平衡型フィルタであるものを含む。
この構成によれば、デジタル部品と相対向する面に平衡型フィルタを実装することにより、平衡型フィルタへのノイズの影響を低減することが可能となる。また、通常はチップインダクタやチップコンデンサなどのチップ部品を組み合わせて実装する平衡型フィルタは、実装面積が大きくなりやすいが、この構成によれば、電力線通信に用いられる平衡型フィルタの実装面積が大きくなったとしても、電子回路基板の小型化を図ることが出来る。
【００２６】
また、本発明では、上記電子回路装置において、前記電子回路装置から出力された電力線通信信号を前記電力線に伝送される交流電圧に重畳し、前記電力線に伝送される交流電圧から電力線通信信号を分離して前記実装基板に出力するカプラを備えた電力線通信装置を含む。
この構成によれば、高速通信が可能でかつ低ノイズで、信頼性の高い電力線通信装置を提供することが可能となる。
【００２７】
また、本発明では、上記電子回路装置において、更に、前記絶縁層を介して積層された複数の導電層を内部に有し、前記積層基板と異なる他の積層基板と、前記他の積層基板の表面に実装される回路素子と、前記積層基板と前記他の積層基板との間に介在してこれらの積層基板を積層し、前記集積回路と前記回路素子を電気的に接続する導電路を備えた絶縁シートとを備えたものを含む。
この構成により、小型でかつ低ノイズの電子回路装置を提供することが可能となる。
【００２８】
また、本発明では、上記電子回路装置において、前記絶縁シートに設けられ、当該電子回路基板に内蔵される内蔵回路素子を備え、前記内蔵回路素子が、前記導電路で囲まれたものを含む。
この構成によれば、導電性ペーストなどで導電路を、形成することにより、簡単な構成で確実なシールドを行うことが可能となる。また銅箔などで覆うようにしてもよい。
【００２９】
また、本発明では、上記電子回路装置において、前記積層基板および前記他の積層基板は、基板厚さが等しく形成されたものを含む。
この構成によれば、基板の厚さが等しくなるように構成されているため、ヒートショックなどの温度変化の際における基板熱膨張の差による２つの積層基板と導電路を備えた絶縁シートとの剥離を防ぎ、２つの積層基板を接続する導電路の接続信頼性を向上することが可能となる。
【００３０】
また、本発明では、上記電子回路装置において、前記絶縁シートに設けられ、当該基板に内蔵される内蔵回路素子を備え、前記複数の内蔵回路素子は、前記基板および前記他の基板のうち基板厚の厚い方の基板に実装されたものを含む。
この構成によれば、基板が薄くなっても、厚い側の基板にのみ回路部品が実装されるため、薄い基板の反りを防ぎ、導電路を備えた絶縁シートすなわちコンポジットシートとの積層に際して２つの積層基板を接続する導電路の接続信頼性を向上することが可能となる。
【００３１】
また、本発明では、上記電子回路装置において、前記絶縁シートは、無機フィラーと熱硬化性樹脂とを含む。
この構成によれば、無機フィラーの選択により熱膨張率、誘電率と熱伝導率の制御をおこなうことが可能であり、２つの積層基板を接続する導電路の接続信頼性の向上や、放熱性の向上を図ることができる。
【００３２】
また、本発明では、電子回路装置において、前記絶縁シートは、７０重量％〜９５重量％の無機フィラーと熱硬化性樹脂とを含む。
この構成によれば、熱膨張率を２つの積層基板と合わせることができ、前記絶縁シートと２つの積層基板との熱膨張の差によるヒートショックなどの温度変化の際における２つの積層基板と導電路を備えた絶縁シートとの剥離を防ぎ、２つの積層基板を接続する導電路の接続信頼性を向上することが可能である。また前記絶縁シートと２つの積層基板との積層の際に絶縁シートに接する面に実装された回路部品にかかる圧力を抑え、回路部品の損傷を防ぐことができる。なお積層基板は所望のパターンの形成された導電層間に絶縁層を挟んで形成されるが、この絶縁層も同様に無機フィラーと熱硬化性樹脂とで構成することができる。この絶縁シートは積層基板を構成する絶縁層よりも硬化温度が低い熱硬化性樹脂で構成しておくことにより、積層基板同士を、絶縁シートを介して固着する際、積層基板の絶縁層が熱処理により劣化するのを防止することができる。
【００３３】
また、本発明では、上記電子回路装置において、前記コネクタが、前記基板の一端近傍に設けられ、前記発熱部品が、前記接続部に対して対角線上の端縁部に設けられたものを含む。
この構成によれば、発熱部品をコネクタに対して遠い位置に設けているため、発熱部品からの熱はコネクタに到達する前に放熱されるようにすることができる。また、この基板の第１の面側に放熱板を配設することで、効率よく放熱することができる。
【００３６】
また、本発明は、デジタル信号処理を行うデジタル部品と、アナログ信号処理を行うアナログ部品と、第１の面と、当該第１の面に対向する第２の面を有し、当該第１の面に前記デジタル部品を実装した第１の基板と、前記第１の基板の第２の面に対向する第３の面と、当該第３の面に対向する第４の面とを有し、当該第４の面に前記アナログ部品を実装した第２の基板と、を有し、前記第１の基板の第２の面と、前記第２の基板の第３の面とが所定の間隔を隔てて配置され、前記第１の基板と前記第２の基板の間の空間には、絶縁シートが配置され、前記絶縁シート内部に配置され、前記デジタル部品と接続される内蔵回路部品を備え、前記内蔵回路部品は抵抗素子であり、前記第１の基板の第１の面に実装された少なくとも２つのデジタル部品が、前記抵抗素子を介して接続された電子回路装置である。
【００３７】
この構成によれば、第１の基板の第１の面にデジタル部品を実装し、第２の基板の第４の面にアナログ部品を実装し、第１の基板の第２の面と第２の基板の第３の面との間に空間を設けることにより、デジタル部品とアナログ部品の部品間距離が大きくなるので、アナログ部品が受けるデジタル部品から発生するノイズによる影響を低減させることが可能な電子回路装置を実現できる。
この構成によれば、第１の基板の第１の面にデジタル部品を実装し、第２の基板の第４の面にアナログ部品を実装し、第１の基板の第２の面と第２の基板の第３の面との間に絶縁シートを設けることにより、デジタル部品とアナログ部品の部品間距離が大きくなるので、アナログ部品が受けるデジタル部品から発生するノイズによる影響を低減させることが可能な電子回路装置を実現できる。
この構成によれば、回路部品を内蔵することで、第１の基板の第１の面に実装されるデジタル部品間の間隔を最大限に小さくすることができ、デジタル部品と内蔵回路部品との接続のための配線も内蔵部分にとじこめることができる。また、デジタル部品間の距離を小さくすることで、デジタル部品間の配線長を短くすることができ、不要輻射発生の原因となる信号のループを小さくすることができる。従って不要輻射の低減を図ることができる。
この構成によれば、配線の特性インピーダンスと抵抗との不整合により、不要輻射が発生しても、抵抗が内蔵回路部品であるため、この配線も内蔵部分に閉じ込められており、不要輻射を基板内に閉じ込めることができる。また、デジタル部品相互間の接続配線も内蔵することができるだけでなく、積層基板内で内層として形成することができ、配線が容易となり、配線長も低減される。
【００３８】
また、本発明は、上記電子回路装置であって、前記第１の基板および前記第２の基板の少なくとも一方は、絶縁層を介して積層された複数の導電層を内部に有する積層基板で構成されたものを含む。
【００３９】
この構成により、基板内部に設けられた導電層がデジタル部品から発生するノイズを遮蔽するので、第２の基板に実装されたアナログ部品が受ける当該ノイズによる影響をより低減することができる。
【００４６】
また、本発明は、上記電子回路装置であって、前記第１の基板には、当該第１の基板を貫通する導電路が設けられ、前記第１の基板の第１の面に実装されたデジタル部品と前記内蔵回路部品は、前記導電路を介して接続されたものを含む。
【００４７】
この構成によれば、デジタル部品と内蔵回路部品とを接続する導電路が、第１の基板、第２の基板に対して垂直な方向に配線されるので、線路長さの低減をはかることができるのでノイズの発生を低減させることができる。また、導電路からノイズが発生したとしても、ノイズは基板の内層内を伝搬して放出されてしまうので、アナログ部品へのノイズの影響を低減することができる。
【００４８】
また、本発明は、上記電子回路装置であって、前記第２の基板の第４の面には、他の実装基板と電気的に接続される接続部が設けられるものを含む。
【００４９】
また、本発明は、上記電子回路装置であって、前記第１および第２の基板は前記絶縁シートよりも薄いものを含む。
【００５０】
この構成により、第１および第２の基板の熱膨張による応力を低減することができることから、基板と絶縁シートとの接合性の低下を抑制することができる。
【００５１】
また、本発明は、上記電子回路装置であって、前記アナログ部品のうち、発熱部品は、前記デジタル部品と平面的に対向する位置を避けて配置されたものを含む。
【００５２】
この構成により、基板を介して伝達される熱の影響を回避することができる。
【００５３】
また、本発明は、上記電子回路装置であって、前記デジタル部品に当接する放熱部材を設けたものを含む。
【００５４】
この構成によれば、デジタル部品に当接する放熱部材を設けているため、この放熱部材が熱を強制的に放出する役割を果たすことになる。このため、第１の基板の第１の面からは、デジタル部品からの発熱が効率よく放熱され、第２の基板に、熱が流れ込むことはなく、熱による影響を遮断することができる。
【００５５】
また、本発明は、上記電子回路装置であって、前記デジタル部品は、マルチキャリア信号の変調処理および復調処理の少なくとも一方を行う集積回路であるものを含む。なおここで変調・復調処理の両方を行う集積回路であっても有効である。
【００５６】
また、本発明は、上記電子回路装置であって、前記マルチキャリア信号は、一対の線路を有する電力線に伝送可能な電力線通信信号である電子回路装置。
【００５７】
また、本発明は、上記電子回路装置を用いた電力線通信装置であって、上記電子回路
装置と、前記電子回路装置から出力された電力線通信信号を前記電力線を伝送する交流電圧に重畳し、前記電力線に伝送される交流電圧から電力線通信信号を分離して前記電子回路装置に出力するカプラを備えている。
【００５８】
この構成によれば、高速通信が可能でかつ低ノイズで、信頼性の高い電力線通信装置を提供することが可能となる。
【００５９】
また、本発明は、上記電子回路装置であって、前記絶縁シートは、無機フィラーと熱硬化性樹脂を含む。
【００６０】
この構成によれば、無機フィラーの選択により熱膨張率、誘電率と熱伝導率の制御をおこなうことが可能であり、２つの積層基板を接続する導電路の接続信頼性の向上や、放熱性の向上を図ることができる。
【００６１】
また、本発明は、上記電子回路装置であって、前記絶縁シート中の無機フィラーの重量％は、７０重量％〜９５重量％であるものを含む。
【００６２】
また、本発明は、上記電子回路装置であって、接続部が前記第２の基板の一端近傍に設けられ、前記発熱部品が、前記接続部に対して略対角線上の端縁部に設けられたものを含む。
【００６３】
この構成によれば、発熱部品をコネクタに対して遠い位置に設けているため、発熱部品からの熱はコネクタに到達する前に放熱されるようにすることができる。また、第１の基板の第１の面側に放熱板を配設することで、効率よく放熱することができる。
【００６４】
また、本発明は、上記電子回路装置であって、前記放熱部材は、絶縁性の弾性部材を介して前記デジタル部品と接続されるものを含む。
【００６５】
この構成により、基板の第１の面に搭載される部品の高さをこの弾性部材で吸収でき密着性を高めることで、熱接触性を高めることができ、放熱性をより向上することができる。
【００６６】
また、本発明は、上記電子回路装置であって、接続部が前記第２の基板の一端近傍に設けられ、前記発熱部品が前記第２の基板の他の一端近傍に設けられたものを含む。
【００６７】
この構成によれば、発熱部品をコネクタに対して遠い位置に設けているため、発熱部品からの熱はコネクタに到達する前に放熱されるようにすることができる。
【００６８】
なお、本発明の対象とするデジタル部品を構成する集積回路としては、必ずしもメインＩＣのような変復調回路である必要はなく、ＡＦＥ・ＩＣなど、多数の接地端子を備えた集積回路の実装に適用可能である。
【発明の効果】
【００６９】
上記構成により、デジタル部品を第１の面に実装し、前記第１の面に対向する第２の面に平衡型フィルタを実装しており、第２の面が実装基板に対向する形態となるため、平衡型フィルタが、デジタル部品からのノイズの影響を回避することができ、ノイズの低減をはかることができる。
またデジタル部品間の間隔を最大限に小さくすることができ、デジタル部品と内蔵回路部品との接続のための配線も内蔵部分にとじこめることができる。デジタル部品間の距離を小さくすることで、デジタル部品間の配線長を短くすることができ、不要輻射発生の原因となる信号のループを小さくすることができる。従って不要輻射の低減を図ることができる。
【００７０】
また、第１の面に実装されたデジタル部品の少なくとも２つの端子が、内蔵回路部品としての抵抗を介して接続されおり、配線の特性インピーダンスと抵抗との不整合により、不要輻射が発生しても、抵抗が内蔵回路部品であるため、この配線も内蔵部分に閉じ込められており、不要輻射を基板内に閉じ込めることができる。また、デジタル部品相互間の接続配線も内蔵することができるだけでなく、積層基板内で内層として形成することができ、配線が容易となり、配線長も低減される。
【００７１】
また、第１の面に実装されたデジタル部品と内蔵回路部品とは貫通ビアに設けられた導電路を介して接続されることで、導電路は、基板面に垂直な方向の配線となり、配線長の低減をはかることができるだけでなく、不要輻射が発生したとしても、内層内を伝搬して放出されてしまい、電子回路装置への不要輻射の影響を低減することができる。
【００７２】
また、第１および第２の基板を絶縁シートよりも薄くすることで、第１および第２の基板の熱膨張による応力を低減することができ、基板と絶縁シートとの接合性の低下を抑制することができる。
【００７３】
また、第１の基板の第１の面にデジタル信号処理を行うデジタル部品が実装され、前記第１の基板の第２の面に対向する、第２の基板の第３の面に対向する第４の面にアナログ信号処理を行うアナログ部品が実装され、前記第１の基板の第２の面と、前記第２の基板の第３の面との間に空間を介在させることにより、デジタル部品とアナログ部品の部品間距離が大きくなるので、アナログ部品が受けるデジタル部品から発生するノイズによる影響を低減させることができる。
【００７４】
また、第１の基板の第１の面にデジタル信号処理を行うデジタル部品を実装し、前記第１の基板の第２の面に対向する第２の基板の第３の面に対向する第４の面にアナログ信号処理を行うアナログ部品を実装し、前記第１の基板の第２の面と、前記第２の基板の第３の面との間に空間を介在させることにより、デジタル部品とアナログ部品の部品間距離が大きくなるので、アナログ部品が受けるデジタル部品から発生するノイズによる影響を低減させることができる。
【発明を実施するための最良の形態】
【００７５】
以下本発明の実施の形態について図面を参照しつつ詳細に説明する。
（実施の形態１）
本実施の形態１では、電子回路装置として、高速電力線通信（ＰＬＣ、Ｐｏｗｅｒ Ｌｉｎｅ Ｃｏｍｍｕｎｉｃａｔｉｏｎ）に用いられるＰＬＣモジュールを、筐体１０１内に収納したＰＬＣモデム１００について説明する。なお、ＰＬＣモデム１００は電力線通信装置の一例であり、電力線通信装置としては、ＰＬＣモデムを内蔵した電気機器であってもよい。
【００７６】
本実施の形態では、図１に斜視図、図２に断面模式図を示すように、マザーボード１１０に接続部としてのコネクタ１２０を介して装着された２枚の電子回路基板でＰＬＣ回路モジュール２００を構成している。すなわち、ＰＬＣモデム１００に内蔵されるＰＬＣ回路モジュール２００を構成する２枚の電子回路基板の第１の面２００ａに、イーサネット（登録商標）ケーブルを伝送する信号の変復調を行うイーサネットＰＨＹ・ＩＣ２３０、電力線を伝送するＰＬＣ信号（マルチキャリア信号）の変復調を行うＰＬＣ・ＩＣ２１０、ＰＬＣ信号に対して必要な信号処理（例えば、デジタル‐アナログ変換など）を行うＡＦＥ・ＩＣ（Ａｎａｌｏｇ Ｆｒｏｎｔ Ｅｎｄ・ＩＣ）２２０などのデジタル部品が搭載され、この第１の面２００ａに対向する面である第２の面２００ｂに、平衡型フィルタ（バンドパスフィルタ）２６０とオペアンプ２５２などの発熱部品であるアナログ部品が搭載されたことを特徴とするものである。そしてこのＰＬＣ回路モジュール２００は第１の積層基板１０と第２の積層基板３０とがコンポジットシート２０を介して積層されている。そしてデジタル部品の背面側は熱伝導性の弾性部材７０１を介して第１の積層基板のデジタル部品搭載面である第１の面２００ａ全体を覆うように放熱部材７００が設けられている。
【００７７】
すなわち、本発明の電子回路装置では、デジタル信号処理を行う変復調用の集積回路を含むデジタル部品と、所定の周波数帯域の電力線通信信号を遮断する平衡型フィルタであるバンドパスフィルタ２６０と、第１の面に、前記デジタル部品が実装されると共に、前記第１の面と対向する第２の面に、前記平衡型フィルタ２６０および外部接続部としてのコネクタ１２０が実装された基板とを備えたことを特徴とする。
【００７８】
図３乃至図５に回路モジュール２００を示す。図３は回路モジュール２００の断面図、図４はデジタル部品と発熱部品であるオペアンプの平面的配置を示す説明図、図５は回路モジュール２００の各面の部品配置を示す図である。図５（ａ）は、デジタル部品搭載面である第１の面２００ａ、図５（ｂ）は、デジタル部品搭載面である第２の面２００ｂ、図５（ｃ）は内蔵部品を示す平面図である。すなわち、本実施の形態１では、図５（ａ）にデジタル部品搭載面である第１の面２００ａを示すように、デジタル信号の変復調処理やその他デジタル信号の処理を行う集積回路であるイーサネットＰＨＹ・ＩＣ２３０、ＰＬＣ・ＩＣ２１０、ＡＦＥ・ＩＣ２２０、メモリ（ＳＤＲＡＭ）２４０、メモリ（フラッシュロム）２４１、リセットＩＣ２７０などのデジタル部品が搭載された第１の積層基板１０が、絶縁性シートとしてのコンポジットシート２０を介して第２の積層基板３０と固着されている。２つの積層基板のうち第１の積層基板１０には第１乃至第４の金属層１２−１５の各層が絶縁層１７を介して積層固着されている。１１および１６はこの積層基板の表面および裏面の配線を構成する配線パターンである。この配線パターンも第１乃至第４の金属層同様に形成されるが、ここでは接続用のパッドとみなし、もっとも近接した層は、第１の金属層１２である。また、第２の積層基板３０には配線パターンを構成する第１乃至第４の金属層３２−３５の各層が絶縁層３７を介して積層固着されている。３１および３６はこの積層基板の表面および裏面の配線を構成する配線パターンである。この配線パターンも第１乃至第４の金属層同様に形成されるが、ここでは接続用のパッドとみなすものとする。第２の積層基板３０についても、第１の積層基板１０と同様に形成されているが、図４および５（ｃ）に示すように、第２の積層基板３０の第２の面２００ｂには、インターフェースコネクタ（コネクタ）１２０、平衡フィルタ２６０、オペアンプ２５２などの発熱部品が搭載されている。また、図５（ｂ）において、ロジックＩＣ２６３は後述する表示部１０５の動作を制御する集積回路である。アッテネータ２６１は、ＰＬＣ受信信号を低減させ、ＰＬＣ受信信号の負荷変動を吸収する。
【００７９】
図５（ｃ）は、コンポジットシート２０内に内蔵される電子部品であり、これらは全て第１の積層基板１０側に実装される。図５（ｃ）において、１８１は、ＡＦＥ・ＩＣ２２０に接続される内蔵部品である。１８２は、ＰＬＣ・ＩＣ２１０に接続される内蔵部品である。１８３は、メモリ（ＳＤＲＡＭ）２４０に接続される内蔵部品である。１８４は、メモリ２４１（フラッシュロム）に接続される内蔵部品である。１８５は、リセットＩＣに接続される内蔵部品である。３８１は、イーサネットＰＨＹ・ＩＣ２３０に接続される内蔵部品である。
【００８０】
ここで、コネクタ１２０とオペアンプ２５２は、第２の面２００ｂの端部近傍に配置されている。また、コネクタ１２０とオペアンプ２５２は、第２の面２００ｂの対角線に沿った位置に配置されている。
【００８１】
近年、電力線通信装置は、より一層の小型化が求められている傾向がある。ＰＬＣモデム１００を小型化するための一つの手段として、筐体１０１内における内蔵部品（基板、電子部品等）の実装密度を高くすることが考えられる。筐体１０１内の内蔵部品の実装密度を高くすると、図２における回路モジュール２００とマザーボード１００との間に形成される空間は狭小となる。当該空間が狭小になると、当該空間が持つ放熱面積も当然小さくなるので、回路モジュール２００の放熱効率は低下する。したがって、第２の面２００ｂに実装されたアナログ部品から放出される熱とマザーボード１００に実装された電子部品から発生する熱は、当該空間から効率的に放熱されないので、回路モジュール２００の温度を上昇させ易い。
【００８２】
また、第２の面２００ｂに実装されるアナログ部品のうち、発熱量の大きな部品（例えば、オペアンプ２５２）は、第２の面２００ｂの端部近傍に配置することが望ましい。発熱量の大きなオペアンプ２５２を第２の面の端部近傍に配置すると、オペアンプ２５２は、温度の低い外気に晒されるため、外気との熱対流によって効率的に放熱を行うことができる。このように、発熱量の大きなアナログ部品を外気との熱対流によって効率的に放熱させることによって、回路モジュール２００の温度上昇を抑制することが可能になる。また、コネクタ１２０が樹脂等の耐熱性の低い材料で形成されている場合は、第２の面２００ｂにおいて、コネクタ１２０を第２の面の一端近傍に形成し、オペアンプ２５２を他の一端近傍に配置することが望ましい。このようにコネクタ１２０とオペアンプ２５２を配置することによって、コネクタ１２０とオペアンプ２５２との距離を大きくすることができ、コネクタ１２０が受けるオペアンプ２５２から発生する熱の影響を低減させることが可能になる。
【００８３】
また、コネクタ１２０が樹脂等の耐熱性の低い材料で形成されている場合は、第２の面２００ｂにおいて、コネクタ１２０とオペアンプ２５２を対角線上に配置することも有効である。コネクタ１２０とオペアンプ２５２を対角線上に配置することによって、コネクタ１２０とオペアンプ２５２とのより距離を大きくすることができ、コネクタ１２０が受けるオペアンプ２５２から発生する熱の影響を低減させることが可能になる。なお、コネクタ１２０とオペアンプ２５２の配置は、第２の面２００ｂの対角線上に限定されず、第２の面２００ｂの一辺と鋭角で交わる直線と平行な直線上に配置しても良い。なお、コネクタ１２０が耐熱性の高い材
料で形成されている場合は、第２の面２００ｂにおいて、コネクタ１２０を端部近傍に配置し、オペアンプ２５２をコネクタ１２０の近傍に配置することも好適である。コネクタ１２０が耐熱性の高い材料で形成されている場合、コネクタ１２０は、回路モジュール２００を介して伝導されるオペアンプ２５２から発生する熱を放熱することが可能だからである。
【００８４】
ここで、コネクタ１２０とオペアンプ２５２は、所定の距離を維持するように配置されている。なおＰＬＣ・ＩＣ２１０を含むＰＬＣ回路モジュール２００の回路構成については後述する。
【００８５】
このように、ＰＬＣモデム１００に収納されているＰＬＣ回路モジュール２００は、図３乃至図５に示したように、第１および第２の積層基板で構成されている。この第１および第２の積層基板で構成された電子回路基板は、第１の面２００ａにイーサネットＰＨＹ・ＩＣ２３０を搭載した第１の積層基板１０と表面に平衡型フィルタであるローパスフィルタ２５１と平衡型フィルタ（バンドパスフィルタ）２６０を搭載するとともにＡＦＥ・ＩＣ２２０を搭載した第２の積層基板３０とが、絶縁シート２０を介して固着積層されている。そしてこの第１の積層基板１０は表面および裏面側のパッドを含む配線層１１、１６と絶縁層１７を介して積層された金属層１２、１３、１４、１５とを含む。そしてこの４層の金属層のうち最も裏面側のイーサネットＰＨＹ・ＩＣ２３０に近い位置に接地層としての第１の金属層１２を配設しており、配線パターン１１のパッドＢに、ビアホールＨ１を介して、ＰＬＣ・ＩＣ２１０に接続されている。
【００８６】
このように、ＰＬＣ回路モジュール２００を構成する電子回路基板として第１および第２の積層基板１０、３０が用いられている。すなわちマルチキャリア信号の変復調を行うように構成された集積回路であるＰＬＣ・ＩＣ２１０の搭載された第１の積層基板１０が、絶縁シートとしてのコンポジットシート２０を介して第２の積層基板３０と固着されている。この第２の積層基板３０には積層された複数の金属層３２−３５の各層が絶縁層３５を介して積層固着されている。この第２の積層基板３０でも表面および裏面に接続用のパッドを構成する金属層３１、３６が形成されている（図３参照）。
【００８７】
この構成では、デジタル部品を第１の面に実装し、前記第１の面に対向する第２の面に平衡型フィルタを実装しており、第２の面が実装基板に対向する形態となるため、平衡型フィルタが、デジタル部品からのノイズの影響を回避することができ、ノイズの低減をはかり、信頼性の高い電子回路を提供することができる。なお電磁界分布については後述する。
【００８８】
また、上述した回路モジュール２００では、第１の積層基板１０の第１の面２００ａ上にデジタル信号の変復調処理やその他デジタル信号の処理を行う集積回路であるイーサネットＰＨＹ・ＩＣ２３０、ＰＬＣ・ＩＣ２１０、ＡＦＥ・ＩＣ２２０、メモリ２４０、リセットＩＣ２７０等のデジタル部品が実装され、第２の積層基板３０の第２の面２００ｂ上に、アナログ信号の処理を行う平衡型フィルタ２６０やオペアンプ２５２等が実装される。したがって、第１の面２００ａおよび第２の面２００ｂには、アナログ部品とデジタル部品が混在せず、アナログ部品はデジタル部品から隔離されて実装される。さらに、第１の積層基板１０と第２の積層基板３０は、コンポジットシート２０を介して積層されているので、コンポジットシート２０の厚さの分だけ、アナログ部品とデジタル部品を隔てる距離が大きくなる。デジタル部品から発生するノイズの強度は、ノイズ源となるデジタル部品から遠くなるほど小さくなる。したがって、回路モジュール２００では、コンポジットシート２０の厚さの分だけ、アナログ部品がデジタル部品からより大きく隔離されるので、アナログ部品が受けるデジタル部品から発生するノイズの影響が小さくなる。
【００８９】
図３において、回路モジュール２００には、第１の積層基板１０を貫通するビアホールＨ２が設けられており、ＰＬＣ・ＩＣ２１０と内蔵電子部品１８２（例えば、抵抗素子）は、ビアホールＨ２を介して電気的に接続されている。
この構成によれば、ビアホールＨ２に設けられた導電路の特性インピーダンスと内蔵電子部品との間でインピーダンスの不整合が生じ、内蔵電子部品および導電路から不要輻射が発生した場合でも、内蔵電子部品１８２と導電路は回路モジュール２００内に閉じ込められており、回路モジュール２００内の導体層１１〜１６、３１〜３６によって当該不要輻射を遮蔽することが可能である。したがって、第２の面２００ｂに実装されるアナログ部品の動作に影響を与える不要輻射を低減することが可能となる。
【００９０】
また、ＰＬＣ・ＩＣ２１０の接地端子であるボンディングパッド（図示せず）と接地層を構成する第１の金属層１２との距離が最短となり、積層基板を貫通させるビアを形成することなく、表面の絶縁層１７のみを貫通する浅いインナービアＨ１で接地端子と接地層とを接続することが出来、加工精度を維持しつつ接地端子と接地層とを接続することが出来る。その結果、接地端子のピン数が多い場合であっても、貫通ビアで積層基板の裏面すなわち集積回路が実装されない面の実装面積が低下することもない。また積層基板の厚さ方向の距離の増大による、インダクタンスの増大も最小限に抑えることができる。
【００９１】
ここで、第１の積層基板１０の接地層を構成する第１の金属層１２は、基板面の８０％以上の占有面積をもつように、銅箔をパターニングして形成される。なお、この第１の金属層１２の上層側（変復調ＩＣ（ＰＬＣ・ＩＣ）２１０に対して離間する側）には、同様に銅箔をパターニングして形成された電源層を構成する第２の金属層１３が形成されている。この第２の金属層１３は、インナービアを介して、ＰＬＣ・ＩＣ２１０の電源端子（図示せず）やメモリ２４０などと接続される。
【００９２】
この第１および第２の積層基板１０、３０は、絶縁層１７、３７と、これら絶縁層１７、３７の間に接地層、電源層、配線層などのパターンを構成する金属層１２、１３、１４、１５、３２、３３、３４、３５をはさむとともに表面および裏面に接続パッドを構成する配線パターン１１、１６、３１、３６を配し、これらを、絶縁層１７に形成されたビアホールで電気的に接続するように構成されている。そのビアホールの穴加工は、たとえば、レーザ加工、ドリルによる加工または金型による加工で形成することができる。レーザ加工は、微細なピッチで貫通孔を形成することができ、削り屑が発生しないため好ましい。レーザ加工では、炭酸ガスレーザやエキシマレーザを用いると加工が容易である。電気的接続の方法としては無電解めっきなどで形成しても良いし、導電性物質を充填することで形成しても良い。
【００９３】
又、配線パターンや接地層、電源層を構成する金属層１１、１２、１３、１４、１５、１６（３１、３２、３３、３４、３５、３６）は、銅箔で構成されるが、導電性樹脂組成物など電気導電性を有する物質であればよい。たとえば、配線パターンとして銅箔を用いる場合、たとえば、電解メッキにより作製された厚さ１２μｍ〜３５μｍ程度の銅箔が適用可能である。銅箔は、絶縁層１７、３７との接着性を向上させるため、絶縁層１７、３７と接触する面を粗面化することが望ましい。また、銅箔としては、接着性および耐酸化性向上のため、銅箔表面をカップリング処理したものや、銅箔表面に錫、亜鉛またはニッケルをメッキしたものも使用可能である。また、この金属層としては、エッチング法あるいは打ち抜き法で形成された金属板のリードフレームを用いてもよい。リードフレームを用いる場合には、リードフレーム上に印刷法などによってグリーンシートを１ユニット毎に分割形成して固着後、必要に応じて部品実装を行い、さらに次の層の絶縁層を積層し、さらに次の層の金属層・・・というように順次積み重ねて積層し最後にここのユニットを構成する積層基板に分割することにより、容易に形成可能である。
【００９４】
また、本発明の第１および第２の積層基板１０、３０を固着する絶縁性シート２０としてのコンポジットシートは、無機フィラーと熱硬化性樹脂とを含む混合物から構成され、いわゆるグリーンシートと呼ばれるものであり、未硬化の状態で、必要に応じて回路部品用や導電路用の穴加工をした状態で積層し２００℃程度で乾燥硬化させることによって回路部品や導電路を内蔵した状態で積層される。回路部品用や導電路用の穴は、たとえば、レーザ加工、ドリルによる加工または金型による加工で形成することができる。レーザ加工は、微細なピッチで貫通孔を形成することができ、削り屑が発生しないため好ましい。レーザ加工では、炭酸ガスレーザやエキシマレーザを用いると加工が容易である。なお、混合物を成型してグリーンシートを形成する際に、同時に形成してもよい。無機フィラーには、たとえば、Ａｌ２Ｏ３、ＭｇＯ、ＢＮ、ＡｌＮまたはＳｉＯ２などを用いることができる。無機フィラーは、混合物に対して７０重量％から９５重量％であることが好ましい。無機フィラーの平均粒子径は、０．１μｍ〜１００μｍ以下であることが好ましい。熱硬化性樹脂には、たとえば、耐熱性が高いエポキシ樹脂、フェノール樹脂またはシアネート樹脂が好ましい。エポキシ樹脂は、耐熱性が特に高いため特に好ましい。なお、混合物は、さらに分散剤、着色剤、カップリング剤または離型剤を含んでいてもよい。
【００９５】
また、絶縁シート２０の材料として、無機フィラーと熱硬化性樹脂との混合物を用いているため、セラミック基板と異なり、高温で焼成する必要がなく２００℃程度で乾燥することによって形成されるため、製造が容易である。
【００９６】
また、絶縁シート２０に用いる無機フィラーを選択することによって、絶縁シート２０の線膨張係数、熱伝導度、誘電率などを容易に制御することができる。絶縁シート２０の線膨張係数を半導体素子とほぼ等しくすると、温度変化によるクラックの発生等を防止することができ、信頼性の高い電子回路基板を構成することができる。絶縁シート２０の熱伝導性を向上させると、高密度で回路部品を実装した場合にも、信頼性の高い電子回路基板を得ることができる。
【００９７】
なお、板状の絶縁シート２０は、熱硬化性樹脂の硬化温度より低い温度で熱処理をしてもよい。熱処理をすることによって、絶縁シート２０の可撓性を維持しながら粘着性を除去することができるため、その後の処理が容易になる。また、溶剤によって熱硬化性樹脂を溶解させた混合物では、熱処理をすることによって、溶剤の一部を除去することができる。
【００９８】
絶縁シート２０内に形成されている導電路Ｐとしては、たとえば、熱硬化性の導電性物質で構成される。熱硬化性の導電性物質としては、たとえば、金属粒子と熱硬化性樹脂とを混合した導電性樹脂組成物を用いることができる。金属粒子としては、金、銀、銅またはニッケルなどを用いることができる。金、銀、銅またはニッケルは導電性が高いことから導電性物質として好適であり、銅は導電性が高くマイグレーションも少ないため特に好適である。熱硬化性樹脂としては、たとえば、エポキシ樹脂、フェノール樹脂またはシアネート樹脂を用いることができる。エポキシ樹脂は、耐熱性が高いため特に好適である。
【００９９】
又ここで絶縁シート２０内に内蔵される回路部品１８は、能動部品および受動部品のいずれであってもよい。能動部品としては、たとえば、トランジスタ、ＩＣ、ＬＳＩなどの半導体素子が用いられる。半導体素子としては、半導体ベアチップであってもよいし、樹脂封止のなされた半導体素子であってもよい。受動部品としては、チップ状の抵抗、チップ状のコンデンサまたはチップ状インダクタなどが用いられる。また、回路部品としては、受動部品を含まないものも適用可能である。
【０１００】
また、この絶縁シート２０を用いることにより、内蔵された回路部品１８を外気から遮断することができるため、湿度による信頼性低下を防止することができる。
【０１０１】
以下に、この電子回路基板としての第１の積層基板（および第２の積層基板）を、高速電力線通信（ＰＬＣ）用のモジュールに用いたＰＬＣモデムについて詳細に説明する。図６は、ＰＬＣモデムの前面を示す外観斜視図である。
【０１０２】
ＰＬＣモデムは、筐体１０１を有しており、筐体１０１の前面には、ＬＥＤ（Ｌｉｇｈｔ  Ｅｍｉｔｔｉｎｇ  Ｄｉｏｄｅ）１０５Ａ、１０５Ｂ、１０５Ｃからなる表示部１０５が設けられている。また、筐体１０１の背面には、電源コネクタ、及びＲＪ４５等のＬＡＮ（Ｌｏｃａｌ  Ａｒｅａ  Ｎｅｔｗｏｒｋ）用モジュラージャック（図示せず）、及び動作モード等の切換えのための切換えスイッチ１０６が設けられている。電源コネクタには、電源ケーブル（図１では図示せず）が接続され、モジュラージャックには、ＬＡＮケーブル（図１では図示せず）が接続される。なお、ＰＬＣモデムには、さらにＤｓｕｂ（Ｄ−ｓｕｂｍｉｎｉａｔｕｒｅ）コネクタを設け、Ｄｓｕｂケーブルを接続するようにしてもよい。また、その他慨知のコネクタ等を設けてもよいことは言うまでも無い。なお、表示部としては、複数のＬＥＤの他、１つのＬＥＤで色を変えても良いし、液晶やＥＬディスプレイ等に通信速度等を表示させても良い。また、図５では電力線通信装置としてのＰＬＣモデムの構成例を示したが、ＰＬＣモデムを備えた電気機器（例えばテレビなどの家電機器）などに適用することも可能である。
【０１０３】
図７はこのＰＬＣモデムの筐体内を示す説明図である。このＰＬＣモデムは、筐体１０１内に、マザー基板１１０上にコネクタ１２０を介してＰＬＣモジュール２００が搭載され、このＰＬＣモジュールの上面は熱伝導ゴムからなる弾性体７０２を介して放熱板７００が筐体１０１の内壁に当接せしめられている。ここで１０３はＲＪ４５のコネクタ（イーサネット用コネクタ）であり、このコネクタを介してネット接続がなされるようになっている。７０１はカバー、７０３は電源部、７０４は電源コネクタである。
【０１０４】
図８はこのＰＬＣモデムの構成を示すブロック図である。ＰＬＣ回路モジュール２００には、変復調ＩＣ（ＰＬＣ・ＩＣ）としてのメインＩＣ（Integrated Circuit）２１０、ＡＦＥ・ＩＣ（Analog Front End IC）２２０、メモリ２４０、ローパスフィルタ２５１、オペアンプ２５２、平衡型フィルタ２６０が設けられている。スイッチング電源３００およびカプラ２７０は、電源コネクタ１０２に接続され、さらに電源ケーブル６００、電源プラグ４００、コンセント５００を介して電力線９００に接続される。
【０１０５】
ＰＬＣ・ＩＣ２１０は、ＣＰＵ（Central Processing Unit）２１１、ＰＬＣ・ＭＡＣ（Power Line Communication・Media Access Control layer）ブロック２１２、およびＰＬＣ・ＰＨＹ（Power Line Communication・Physic layer）ブロック２１３で構成されている。ＣＰＵ２１１は、３２ビットのＲＩＳＣ（Reduced Instruction Set Computer）プロセッサを実装している。ＰＬＣ・ＭＡＣブロック２１２は、送受信信号のＭＡＣ層を管理し、ＰＬＣ・ＰＨＹブロック２１３は、送受信信号のＰＨＹ層を管理する。ＡＦＥ・ＩＣ２２０は、ＤＡ変換器（ＤＡＣ）２２１、ＡＤ変換器（ＡＤＣ）２２２、および可変増幅器（ＶＧＡ）２２３で構成されている。カプラ２７０は、コイルトランス２７１、およびカップリング用コンデンサ２７２ａ、２７２ｂで構成されている。なお、ＣＰＵ２１１は、メモリ２４０に記憶されたデータを利用して、ＰＬＣ・ＭＡＣブロック２１２、およびＰＬＣ・ＰＨＹブロック２１３の動作を制御するとともに、ＰＬＣモデム１００全体の制御も行う。
【０１０６】
ＰＬＣモデム１００は、ＯＦＤＭ方式等の複数のサブキャリアを用いた伝送を行うものであり、このような伝送を行うためのデジタル信号処理は、ＰＬＣ・ＩＣ２１０、特にＰＬＣ・ＰＨＹブロック２１３で行われる。
【０１０７】
図９は、ＰＬＣ・ＩＣ２１０によって実現されるデジタル信号処理部の一例の概略機能ブロック図であり、ウェーブレット変換を利用するＯＦＤＭ伝送を行う場合のものである。図９のデジタル信号処理部は、制御部２１１０、シンボルマッパ２１１１、シリアル−パラレル変換器（Ｓ／Ｐ変換器）２１１２、逆ウェーブレット変換器２１１３、ウェーブレット変換器２１１４、パラレル−シリアル変換器（Ｐ／Ｓ変換器）２１１５、デマッパ２１１６を備える。
【０１０８】
シンボルマッパ２１１１は、送信すべきビットデータをシンボルデータに変換し、各シンボルデータにしたがってシンボルマッピング（例えばＰＡＭ変調）を行うものである。Ｓ／Ｐ変換器２１１２は、マッピングされた直列データを並列データに変換するものである。逆ウェーブレット変換器２１１３は、並列データを逆ウェーブレット変換し、時間軸上のデータとするものであり、伝送シンボルを表すサンプル値系列を生成するものである。このデータは、ＡＦＥ・ＩＣ２２０のＤＡ変換器（ＤＡＣ）２２１に送られる。
【０１０９】
ウェーブレット変換器２１１４は、ＡＦＥ・ＩＣ２２０のＡＤ変換器（ＡＤＣ）２２２から得られる受信デジタルデータ（送信時と同一のサンプルレートでサンプルされたサンプル値系列）を周波数軸上へ離散ウェーブレット変換するものである。Ｐ／Ｓ変換器２１１５は、周波数軸上の並列データを直列データに変換するものである。デマッパ２１１６は、各サブキャリアの振幅値を計算し、受信信号の判定を行って受信データを求めるものである。
【０１１０】
ＰＬＣモデム１００による通信は、概略次のように行われる。ＲＪ４５コネクタ１０３から入力されたデータの受信時、イーサネットＰＨＹ・ＩＣ２３０を介してＰＬＣ・ＩＣ２１０に送られ、デジタル信号処理を施すことによって生成されたデジタル送信信号は、ＡＦＥ・ＩＣ２２０のＤＡ変換器（ＤＡＣ）２２１によってアナログ信号に変換され、ローパスフィルタ２５１、オペアンプ（ドライバＩＣ）２５２、カプラ２７０、電源コネクタ１０２、電源ケーブル６００、電源プラグ４００、コンセント５００を介して電力線９００に出力される。
【０１１１】
電力線９００からの信号受信時は、カプラ２７０を経由して平衡型フィルタであるバンドパスフィルタ２６０に送られ、ＡＦＥ・ＩＣ２２０の可変増幅器（ＶＧＡ）２２３でゲイン調整がされた後、ＡＤ変換器（ＡＤＣ）２２２でデジタル信号に変換された後、ＰＬＣ・ＩＣ２１０に送られ、デジタル信号処理を施すことによって、デジタルデータに変換される。そして、イーサネットＰＨＹ・ＩＣ２３０を介してＲＪ４５コネクタ１０３から出力される。
【０１１２】
なおここで送信側に配置されるローパスフィルタ２５１は、その等価回路図を図１０（ａ）あるいは（ｂ）に示すように、多数のコンデンサとコイルとで構成される。又受信側に配置されるバンドパスフィルタ２６０についても、その等価回路図を図１０（ｃ）に示すように、多数のコンデンサとコイルとで構成される。
【０１１３】
図１０（ａ）に示すローパスフィルタ２５１ａは、一対の線路６０１、６０２間に接続された、２つのコンデンサ２５１ａ１、２５１ａ２を有している。一対の線路６０１、６０２それぞれには、２つのコンデンサ２５１ａ１、２５１ａ２に挟まれるように、ＣＬ並列回路２５１ａ３、２５１ａ４が直列に接続されている。また、図１０（ｂ）に示すローパスフィルタ２５１ｂは、一対の線路６０１、６０２間に接続された、１つのコンデンサ２５１ｂ１を有している。線路６０１には、コンデンサ２５１ｂ１を挟むように、２つのインダクタ２５１ｂ２、２５１ｂ３が直列に接続されている。線路６０２には、コンデンサ２５１ｂ１を挟むように、２つのインダクタ２５１ｂ４、２５１ｂ５が直列に接続されている。
【０１１４】
線路６０１及び線路６０２は、図９に示す電源ケーブル６００を介して、一対の線路を有する電力線９００に接続されている。図１０（ａ）に示すローパスフィルタ２５１ａは、ＣＬ並列回路２５１ａ３、２５１ａ４の回路定数が同一である場合、電力線９００が有する一対の線路のそれぞれから見たインピーダンスが同一である。従って、このローパスフィルタ２５１ａは平衡型フィルタを構成する。また、図１０（ｂ）に示すローパスフィルタ２５１ｂは、インダクタ２５１ｂ２、２５１ｂ３と、インダクタ２５１ｂ４、２５１ｂ５との回路定数が同一である場合、電力線９００が有する一対の線路のそれぞれから見たインピーダンスが同一である。従って、このローパスフィルタ２５１ｂは、ローパスフィルタ２５１ａと同様に、平衡型フィルタを構成する。こうすることで、電力線が有する一対の線路間のバランスを取ることが出来るので、一方の線路を伝送するノイズで、他方の線路を伝送するノイズを相殺させることが出来、ノイズを抑制することが出来る。
【０１１５】
図１０（ｃ）に示すバンドパスフィルタ２６０は、線路６０１、６０２に対して直列に接続された、図１０（ａ）で示したローパスフィルタ２５１ａと、ハイパスフィルタ２５１ｃとを有している。ハイパスフィルタ２５１ｃは、一対の線路６０１、６０２間に接続された、１つのインダクタ２５１ｃ１を有している。線路６０１には、インダクタ２５１ｃを挟むように、２つのコンデンサ２５１ｃ２、２５１ｃ３が直列に接続されている。線路６０２には、インダクタ２５１ｃ１を挟むように、２つのコンデンサ２５１ｃ４、２５１ｃ５が直列に接続されている。
【０１１６】
図１０（ｃ）に示すバンドパスフィルタ２６０は、コンデンサ２５１ｃ２、２５１ｃ３と、コンデンサ２５１ｃ４、２５１ｃ５との回路定数が同一である場合、電力線９００が有する一対の線路のそれぞれから見たインピーダンスが同一である。従って、バンドパスフィルタ２６０は、平衡型フィルタを構成する。こうすることで、電力線が有する一対の線路間のバランスを取ることが出来、電力線が有する一対の線路間のバランスを取ることが出来るので、一方の線路を伝送するノイズで、他方の線路を伝送するノイズを相殺させることが出来、ノイズを抑制することが出来る。
【０１１７】
図１０にそれぞれに示したフィルタは、電力線９００が有する一対の線路のそれぞれから見たインピーダンスが同一である場合に示したが、これらインピーダンスは完全に同一である必要はなく、ノイズを抑制する効果を奏する範囲で、略同一であればよい。例えば、線路それぞれから見たインピーダンスの差が±５％であれば、ノイズ抑制の効果を奏することが出来る。
【０１１８】
このＰＬＣ回路モジュール２００は、前述したように、第１の積層基板１０と第２の積層基板３０とがコンポジットシート２０を介して積層して形成されているが、そのうち第１の積層基板１０は、図１１に示すように、４層の金属層１１、１２、１３、１４を内層として含み表面側に、比較的小型の部品を搭載するとともに、裏面側にＰＬＣ・ＩＣ２１０と、メモリ２４０などを搭載してなるものである。また第２の積層基板３０は、図１１に表面および裏面を示すように、４層の金属層３１、３２、３３、３４を内層として含み裏面側に、比較的小型の部品を搭載するとともに、表面側に平衡型フィルタ２５１、２６０、ＡＦＥＩＣ２２０を搭載してなるものである。
【０１１９】
次にこのＰＬＣ回路モジュール２００の製造方法について説明する。
図１２（ａ）〜（ｆ）はＰＬＣモジュールの製造工程の一実施の形態を示す斜視図である。図１２の断面図を図１３（ａ）〜（ｆ）に示す。図１４（ａ）乃至（ｆ）はこのＰＬＣモジュールを構成する電子回路基板としての第１の積層基板の製造工程を示す断面図である。
まず、ＰＬＣモジュールの製造工程の説明に先立ち、第１の積層基板の製造工程について説明する。
【０１２０】
まず、図１４（ａ）に示すように、ガラス織布に熱硬化性樹脂を含浸させた未硬化状態の絶縁層１７を形成し、この絶縁層１７の両面に金属層１１、１２としての銅箔を貼着したものを用意する。同様にして絶縁層１７の両面に金属層１３、１４としての銅箔を貼着したもの、絶縁層１７の両面に金属層１５、１６としての銅箔を貼着したものを用意する。前記両面基板に熱をかけながら加圧することで絶縁層の樹脂を硬化させる。絶縁層の材料としてアラミド不織布や無機フィラーなどを用いてもよい。熱硬化性樹脂としては、エポキシ樹脂を用いたが、フェノール樹脂などを用いてもよい。
【０１２１】
その後、図１４（ｂ）に示すように、フォトリソグラフィにより、各金属層をパターニングし、配線パターンを形成する。その後、図１４（ｃ）に示すように、プリプレグと呼ばれる絶縁層１７Ｐを挟んで加熱しながらプレスを行う。位置合わせして重ねたものを加圧することによって板状体を形成した後、これを加熱することによって、絶縁層１７および１７Ｐ中の熱硬化性樹脂を硬化させ、６枚の金属層１１、１２、１３、１４、１５、１６を備えた積層体を形成する。加熱は、絶縁層１７、１７Ｐ中の熱硬化性樹脂が硬化する温度以上の温度（たとえば１５０℃〜２６０℃）で行い、未硬化の絶縁層は絶縁層１７となる。なお、加熱によって未硬化状態の絶縁層中の熱硬化性樹脂を硬化させる際に、加熱しながら１０ｋｇ／ｃｍ2〜２００ｋｇ／ｃｍ2の圧力で加圧することによって、回路部品モジュールの機械的強度を向上させることができる。
【０１２２】
その後、図１４（ｄ）に示すように、レーザを用いて接地層１５までの孔Ｈを形成する。孔Ｈは、前述したように、レーザ加工、ドリルによる加工または金型による加工で形成することができる。
【０１２３】
その後、図１４（ｅ）に示すように、積層基板１０を貫通する貫通孔Ｈを形成する。
さらに、図１４（ｆ）に示すように、貫通孔Ｈ内にめっきを行い、パッドとなる金属層１６や接地層１５、などの電気的接続を行う。なおここでは導電性樹脂組成物を充填するようにしてもよい。このようにして、第１の積層基板が形成される。
【０１２４】
なお本実施の形態では、最外層となる配線パターン１１、１６についてもパターニングを行った後に、積層し、最後に貫通孔Ｈを形成し、貫通孔内にめっきを行うようにしているが、貫通孔と配線パターン１１との接続は、再度選択めっきを行うことにより、貫通孔内からパッドとなる配線パターン１６上にかかるようにめっき層を形成することにより接続可能である。また最外層については最後に銅箔を貼着し、パターニングを行うようにすれば、貫通孔上にパッドを形成するようにすることも可能である。
【０１２５】
同様にして、第２の積層基板３０を形成する。搭載する回路部品については異なるが、製造については第１の積層基板と同様の工程を経て第２の積層基板が形成される。
【０１２６】
次にＰＬＣモジュールの実装に際しては、まず、図１２（ａ）および図１３（ａ）に示すように、第１の積層基板１０の上面に回路部品１８を実装する。
【０１２７】
次に、図１２（ｂ）および図１３（ｂ）に示すように、第２の積層基板３０を用意する。
【０１２８】
この後、図１２（ｃ）および図１３（ｃ）に示すように、コンポジットシート２０を形成し、部品用およびビア（導電路）形成のための貫通孔Ｈを形成する。このコンポジットシート２０は、無機フィラーと熱硬化性樹脂とを含む混合物を成形することによって板状のコンポジットシートを構成する。板状のコンポジットシート２０は、無機フィラーと未硬化状態の熱硬化性樹脂とを混合してペースト状混練物とし、そのペースト状混練物を一定厚みに成型することによって得られる。そして、板状のコンポジットシート２０の所望の位置にビア形成（導電路）のための貫通孔Ｈを形成することによって、貫通孔Ｈが形成された板状体を形成する。貫通孔Ｈは、たとえば、レーザ加工、ドリルによる加工または金型による加工で形成することができる。ここでも、貫通孔Ｈは、ペースト状混練物を成型して板状のコンポジットシート２０を形成する際に、同時に形成してもよい。
【０１２９】
そして、図１２（ｄ）および図１３（ｄ）に示すように、コンポジットシートの貫通孔Ｈに導電性樹脂組成物を充填し導電路Ｐを形成する。
【０１３０】
そして、図１２（ｅ）および図１３（ｅ）に示すように、第１の基板および第２の基板をコンポジットシート２０を介して位置合わせして、重ねたものを加圧することによって回路部品１８が埋設された板状体を形成した後、これを加熱することによって、絶縁シート２０および導電性樹脂組成物中の熱硬化性樹脂を硬化させ、第１の積層基板１０、第２の積層基板３０間に回路部品１８が埋設された積層体を形成する。加熱は、コンポジットシート２０および導電性樹脂組成物中の熱硬化性樹脂が硬化する温度以上の温度（たとえば１５０℃〜２６０℃）で行い、未硬化のコンポジットシート２０は硬化される。なお、加熱によって未硬化状態のコンポジットシートを硬化させる際に、加熱しながら１０ｋｇ／ｃｍ2〜２００ｋｇ／ｃｍ2の圧力で加圧することによって、ＰＬＣ回路モジュールの機械的強度を向上させることができる。
【０１３１】
この後、図１２（ｆ）に示すように、第１の積層基板１０の下面にＰＬＣ・ＩＣ２１０と、メモリ２４０などを実装し、第２の積層基板３０上面にＡＦＥＩＣ２２０、平衡型フィルタ２５１、２６０を実装し、本実施の形態のＰＬＣモジュールが完成する。
【０１３２】
このようにして形成されたＰＬＣモジュールを、図６示すように筐体１０１ａ、１０１ｂ内に収納し、図５に示したようなＰＬＣモデムが完成する。
【０１３３】
このように本実施の形態のＰＬＣモジュールによれば、デジタル部品を第１の面２００ａに実装し、前記第１の面２００ａに対向する第２の面２００ｂにアナログ部品および接続部を実装しており、第２の面が実装基板に対向する形態となるため、基板の第１の面からは、デジタル部品からの発熱が効率よく放熱されると共に、第２の面側は第２の面側に放熱され、電子回路基板に熱が蓄積されるのを防止することができる。
【０１３４】
また、発熱量の多いアナログ部品であるオペアンプ２５２を接続部であるコネクタ１２０から最も遠い位置に配しているため、温度上昇の防止が効率的となる。
さらにまた、第１の面に実装されたデジタル部品の背面側を電気的絶縁性でかつ熱伝導性の良好な弾性部材を介して放熱部材に当接させているため、この放熱部材が熱を強制的に放出する役割を果たすことになる。このため、基板の第１の面からは、デジタル部品からの発熱が面全体から効率よく放熱され、第２の面に、熱が流れ込むことはなく、熱による影響を遮断することができる。
加えて、変復調ＩＣと平衡型フィルタを積層基板の同一面上に配置しないように構成しているため、ノイズの影響を小さくすることができ、特性が良好でかつ、小型で低コストのモジュールを得ることができる。
【０１３５】
以下に、本発明の具体的な実施例を説明する。
本発明のＰＬＣモジュールを構成する電子回路基板の製造方法の一例について説明する。
【０１３６】
コンポジットシート板状体の作製は、まず、所望の組成で混合されたペースト状の混合物を、所定量だけ離型フィルム上に滴下する。ペースト状の混合物は、無機フィラーと液状の熱硬化性樹脂とを攪拌混合機によって１０分程度混合して作製した。使用した攪拌混合機は、所定の容量の容器に無機フィラーと液状の熱硬化性樹脂とを投入し、容器自身を回転させながら公転させるもので、混合物の粘度が比較的高くても充分な分散状態が得られる。離型フィルムには厚み７５μｍのポリエチレンテレフタレートフィルムを用い、フィルム表面にシリコンによる離型処理を施した。
【０１３７】
次に、離型フィルム上のペースト状の混合物にさらに離型フィルムを重ね、加圧プレスで厚さ５００μｍになるようにプレスして、板状の混合物を得た。次に、離型フィルムで挟まれた板状の混合物を離型フィルムごと加熱し、板状の混合物の粘着性が無くなる条件下で熱処理した。熱処理は、１２０℃の温度で１５分間保持である。この熱処理によって、板状の混合物の粘着性が失われるため、離型フィルムの剥離が容易になる。この実施例で用いた液状エポキシ樹脂は、硬化温度が１３０℃であるため、この熱処理条件下では、未硬化状態（Ｂステージ）である。
【０１３８】
次に、板状の混合物から離型フィルムを剥離し、板状の混合物を耐熱性離型フィルム（ＰＰＳ：ポリフェニレンサルファイト、厚さ７５μｍ）で挟んで、５０ｋｇ／ｃｍ2の圧力で加圧しながら１７０℃の温度で加熱することによって板状の混合物を硬化させた。
【０１３９】
次に、硬化した板状の混合物から耐熱性離型フィルムを剥離することによって、絶縁層を得た。この絶縁層を所定の寸法に加工して、熱伝導度、線膨張係数などを測定した。熱伝導度は、１０ｍｍ角に切断した試料の表面を加熱ヒータに接触させて加熱し、反対面の温度上昇から計算で求めた。線膨張係数は、室温から１４０℃まで温度上昇させた場合の絶縁層の寸法変化を測定し、その寸法変化の平均値から求めた。絶縁耐圧は、絶縁層の厚み方向にＡＣ電圧を印加した場合の絶縁耐圧を求め、単位厚み当たりの絶縁耐圧を計算した。ここでは絶縁層とは電気的に絶縁状態にある基板をさすものとする。
【０１４０】
上記の方法で作製された絶縁層は、無機フィラーとしてＡｌ2Ｏ3を用いた場合には、従来のガラス−エポキシ基板（熱伝導度０．２ｗ／ｍＫ〜０．３ｗ／ｍＫ）に比べて熱伝導度が約１０倍以上となった。Ａｌ2Ｏ3の量を８５重量％以上とすることによって、熱伝導度を２．８ｗ／ｍＫ以上とすることができた。Ａｌ2Ｏ3はコストが安いという利点もある。
【０１４１】
また、無機フィラーとしてＡｌＮ、ＭｇＯを用いた場合では、Ａｌ2Ｏ3を用いた場合と同等以上の熱伝導度が得られた。また、無機フィラーとして非晶質ＳｉＯ2を用いた場合では、線膨張係数がシリコン半導体（線膨張係数３×１０-6／℃）により近くなった。したがって、無機フィラーとして非晶質ＳｉＯ2を用いた絶縁層は、半導体を直接実装するフリップチップ用基板として好適である。
【０１４２】
また、無機フィラーとしてＳｉＯ2を用いた場合には、誘電率が低い絶縁層が得られた。ＳｉＯ2は比重が軽いという利点もある。
【０１４３】
また、無機フィラーとしてＢＮを用いた場合には、熱伝導度が高く線膨張係数が低い絶縁層が得られた。無機フィラーとして６０重量％のＡｌ2Ｏ3を用いた場合を除いて、絶縁層の絶縁耐圧は、１０ｋＶ／ｍｍ以上であった。絶縁層の絶縁耐圧は、絶縁層の材料である無機フィラーと熱硬化性樹脂との接着性の指標となる。すなわち、無機フィラーと熱硬化性樹脂との接着性が悪いと、その間に微小な隙間が生じて絶縁耐圧が低下する。このような微小な隙間は回路部品内蔵モジュールの信頼性低下を招く。一般に、絶縁耐圧が１０ｋＶ／ｍｍ以上であれば無機フィラーと熱硬化性樹脂との接着性が良好であると判断できる。したがって、無機フィラーの量は７０重量％以上であることが好ましい。
【０１４４】
なお、熱硬化性樹脂の含有量が低いと絶縁層の強度が低下するため、熱硬化性樹脂は４．８重量％以上であることが好ましい。
【０１４５】
この実施例では、液状エポキシ樹脂には、日本ペルノックス（株）製のエポキシ樹脂（ＷＥ−２０２５、酸無水系硬化剤含む）を用いた。フェノール樹脂には、大日本インキ（株）製のフェノール樹脂（フェノライト、ＶＨ４１５０）を用いた。シアネート樹脂には、旭チバ（株）製のシアネート樹脂（ＡｒｏＣｙ、Ｍ−３０）を用いた。この実施例では、添加物としてカーボンブラックまたは分散剤を加えた。
このコンポジットシートを用いて、第１の積層基板１０と第２の積層基板３０で挟み、加圧加熱することにより本発明の実施の電子回路で用いられる基板が得られる。
これにコネクタを装着し、マザーボードに装着すると共に筐体１０１内に熱伝導性ゴムおよび放熱板を介して装着され半導体装置を得ることができる。
なお前記実施例１は以下の実施の形態にも適用可能であることはいうまでもない。
【０１４６】
なお図１７にこのモジュールの電磁界分布を測定した結果を示す。図１７（ａ）および（ｂ）は６１．３ＭＨｚにおける電界ピーク値を従来の大型基板であるＭＳ２３０と本実施例の基板であるＭＳ２５０について測定した結果を示す。図１７（ｃ）および（ｄ）は１２５ＭＨｚにおける電界ピーク値をＭＳ２３０とＭＳ２５０について測定した結果を示す。等高線密度の高い領域が電界強度変化の大きい領域を示す。このとき送信時の電界ピーク値は、６１．３ＭＨｚにおいては、ＭＳ２３０では１０４．２５ｄＢｕＶであったのに対し、ＭＳ２５０では９８．９２ｄＢｕＶであり、このとき送信時の電界ピーク値の差は、本発明のモ・BR>Wュールの場合、５．５３ＢｕＶ低くなっていることがわかる。また、１２５ＭＨｚにおいては、ＭＳ２３０では９６．４７ｄＢｕＶであったのに対し、ＭＳ２５０では９０．３３ｄＢｕＶであり、このとき送信時の電界ピーク値の差は、本発明のモジュールの場合、６．１４ＢｕＶ低くなっていることがわかる。またこれより高い周波数領域についても測定したが、ＭＳ２３０とＭＳ２５０とではほぼ同等であった。
【０１４７】
図１８では、貫通ビアＨ２に設けられる導電路から放出される不要輻射の様子を示している。
導電路には、ＰＬＣ・ＩＣ２１０で処理されるデジタル信号が流れており、不要輻射はこの貫通ビアＨ２で構成される導電路に対して垂直方向に放出される。この導電路から放出された不要輻射は、図中に矢印で示すように、これら積層基板の基板面に対して垂直方向に発生し、回路モジュール２００内の導体層１１〜１６、３１〜３６によって遮蔽されるので、回路モジュール２００の外部に放出される不要輻射の強度は、導電路で発生した不要輻射の強度よりも小さくなる。
このように、導電路はアナログ部品が実装される第２の面２００ｂに対して垂直方向に設けられるので、矢印で示したように導電路で発生した不要輻射の伝播する方向は、第２の面２００ｂに対して平行になる。したがって、不要輻射は第２の面２００ｂに向けて伝播しないため、アナログ部品が受ける不要輻射の影響を抑えることが可能になる。
なお、図１８において、内蔵電子部品とは上述した図３における内蔵電子部品１８２や図１２における回路部品１８のことを指し、アナログ部品とは、図３における平衡型２６０やオペアンプ２５２を指す。
【０１４８】
（実施の形態２）
次に本発明の実施の形態２について説明する。
前記実施の形態１では、筐体１０１内にモジュールを収納するに当たり、熱伝導性の良好な弾性体としてのゴムを介して放熱板を装着したが、図１５に示すように、弾性体および放熱板を介することなくそのままで筐体１０１内に収納するようにしてもよい。
【０１４９】
（実施の形態３）
次に本発明の実施の形態３について説明する。
本実施の形態では図１６に示すように、前記実施の形態１で得られたＰＬＣモジュールの上下面にそれぞれコンポジットシート４２、４３を介して放熱用の金属板４０および４１を積層してＰＬＣモジュールを構成することでモジュールとしての放熱を効果的に行うようにしている。他は図１に示した実施の形態１のＰＬＣモジュールと同様に形成されている。同一部位には同一符号を付した。ここで接続部としてのコネクタ１２０は、別の断面で切断したときには現れるがこの断面には存在しないため、図示しない。
【０１５０】
この構成によれば、回路の集積度の増大に際しても、上下面に放熱板を同時に構成することにより、放熱面積を広げることができ、小型で低コストのモジュールを構成することができる。
【０１５１】
なお、放熱用の金属板が２つの場合について説明したが、金属板が１つであってもよい。例えば、発熱量の最も大きい集積回路（例えばメインＩＣ）のみに、コンポジットシートを介して、金属板を設けることで、放熱面積を広げることができる。
【０１５２】
（実施の形態４）
次に本発明の実施の形態４について説明する。本実施の形態では、図１９に模式図を示すように、第１および第２の積層基板１０、３０はこれらの間に介在せしめられる絶縁シートとしてのコンポジットシート２０よりも薄いことを特徴とする。
この構成により、第１および第２の基板の熱膨張による応力を低減することができることから、基板と絶縁シートとの接合性の低下を抑制することができる。
なお、従来は、図２０に示すように、回路の配線量によって、積層基板１０１０、１０３０の層数が決められることが多いため、配線量が多い場合、積層基板の層数が多くなり厚みは厚くなる。また、基板が厚くなるほど熱膨張率の差による反り応力が大きくなり、コンポジットシート１０２０や、接合のための導電性ペーストの接合信頼性が低下するという問題があったが、本実施の形態によれば、第１および第２の積層基板１０、３０をコンポジットシート２０よりも薄くすることで、基板の熱膨張による応力を低減し、基板とコンポジットシートすなわち貫通ビアとの接合信頼性の向上をはかることができる。
【０１５３】
（実施の形態５）
次に本発明の実施の形態５について説明する。本実施の形態では、図２１に模式図を示すように、第１の積層基板１０上に搭載されたＩＣ２１５、２１６間に接続する抵抗を内蔵回路部品２１４とし、ビアを介して接続したものである。
比較のために第１の積層基板１０１０上に抵抗１２１４を配置し、ＩＣ１２１５、１２１６間との間で接続した場合を図２２に示す。
図２１と図２２の比較から、この構成によれば、抵抗２１４を内蔵することでＩＣ２１５、２１６間の間隔を低減できるだけでなく、接続のための配線を内蔵できるため、インピーダンス不整合による不要輻射を基板内に閉じ込めることができる。
【０１５４】
（実施の形態６）
次に本発明の実施の形態６について説明する。本実施の形態では、図２３（ａ）乃至（ｃ）に模式図を示すように、デジタル部品（イーサネットＰＨＹ・ＩＣ２３０、ＰＬＣ・ＩＣ２１０、メモリＩＣ２２０）をＰＬＣモジュール２００の第１の面２００ａに実装し、前記第１の面２００ａに対向する第２の面２００ｂに平衡型フィルタ２６０を実装しており、第２の面２００ｂが実装基板（マザーボード）に対向する形態となるため、平衡型フィルタ２６０が、デジタル部品からのノイズの影響を回避することができ、ノイズの低減をはかることができるものである。
【０１５５】
また、第１の面２００ａに実装されたデジタル部品が、前記内蔵回路部品としての抵抗２１３を介して接続されている。ここで図２３（ａ）は断面図、図２３（ｂ）は第１の面を示す図、図２３（ｃ）は第２の面を示す図である。ＤＡはデジタル領域、ＡＡはアナログ領域を示す。
【０１５６】
この構成により、配線の特性インピーダンスと抵抗との不整合により、不要輻射が発生しても、抵抗が内蔵回路部品であるため、この配線も内蔵部分に閉じ込められており、不要輻射を基板内に閉じ込めることができる。また、デジタル部品相互間の接続配線も内蔵することができるだけでなく、積層基板内で内層として形成することができ、配線が容易となり、配線長も低減される。またデジタル部品間の間隔を最大限に小さくすることができ、デジタル部品と内蔵回路部品との接続のための配線も内蔵部分にとじこめることができる。デジタル部品間の距離を小さくすることで、デジタル部品間の配線長を短くすることができ、不要輻射発生の原因となる信号のループを小さくすることができる。従って不要輻射の低減を図ることができる。
【０１５７】
以上説明してきたように、本発明では、ＰＬＣ通信用の電子回路基板に限定されることなく、デジタル部品とアナログ部品の実装される電子回路基板であれば有効に適用可能である。
すなわち、本発明は、第１の面にデジタル部品が実装されると共に、前記第１の面に対向する第２の面にアナログ部品が実装される基板と、前記基板の第２の面に設けられ、実装基板に接続する接続部とを具備したことを特徴とする。
この構成によれば、デジタル部品を第１の面に実装し、前記第１の面に対向する第２の面にアナログ部品および接続部を実装しており、第２の面が実装基板に対向する形態となるため、基板の第１の面からは、デジタル部品からの発熱が効率よく放熱されると共に、第２の面側は第２の面側に放熱されるため、電子回路基板に熱が蓄積されるのを防止することができる。
【０１５８】
また、本発明の電子回路装置では、デジタル部品と、アナログ部品と、第１の面に前記デジタル部品が実装されると共に前記第１の面に対向する第２の面に前記アナログ部品が実装された基板と前記基板の第２の面に設けられ、実装基板に接続する接続部とを具備したことを特徴とする。
この構成によれば、発熱量の大きいデジタル部品を第１の面に実装し、前記第１の面に対向する第２の面に発熱量の小さなアナログ部品および接続部を実装しており、第２の面が実装基板に対向する形態となるため、電子回路基板に熱が蓄積されるのを防止することができる。また基板の第１の面からは、デジタル部品からの発熱が効率よく放熱され、熱による影響を抑制し信頼性の高い電子回路を提供することができる。
【０１５９】
また、本発明では、上記電子回路装置において、前記アナログ部品のうち、発熱部品は、前記デジタル部品と平面的に対向する位置を避けて配置されたものを含む。
この構成により、基板を介して伝達される熱の影響を回避することができる。
【０１６０】
また、本発明では、上記電子回路装置において、前記発熱部品は増幅器（オペアンプ）であるものを含む。
この構成により、オペアンプは、発熱量が大きく、ノイズの影響を受け易いが、デジタル部品と平面的に相対向する位置を避けて配置されるため、基板を介して伝達される熱の影響を回避することができる。
【０１６１】
また、本発明では、上記電子回路装置において、前記デジタル部品に当接する放熱部材を設けたものを含む。
この構成によれば、デジタル部品に当接する放熱部材を設けているため、この放熱部材が熱を強制的に放出する役割を果たすことになる。このため、基板の第１の面からは、デジタル部品からの発熱が効率よく放熱され、第２の面に、熱が流れ込むことはなく、熱による影響を遮断することができる。
【０１６２】
また、本発明では、上記電子回路装置において、前記基板の第１の面に、絶縁性の弾性部材を介して放熱部材が設けられたものを含む。
この構成により、基板の第１の面に搭載される部品の高さをこの弾性部材で吸収でき密着性を高めることで、熱接触性を高めることができ、放熱性をより向上することができる。
【０１６３】
また、本発明では、上記電子回路装置において、前記デジタル部品は、マルチキャリア信号の変調処理および復調処理の少なくとも一方を行うものを含む。なおここで変調・復調処理の両方を行う集積回路であっても有効である。
【０１６４】
また、本発明では、上記電子回路装置において、前記マルチキャリア信号は、一対の線路を有する電力線に伝送可能な電力線通信信号であるものを含む。
この構成によれば、マルチキャリア信号の変調処理および復調処理の少なくとも一方を行うデジタル部品を、発熱部品と反対側の面に配しているため、熱の影響を低減することができる。
【０１６５】
また、本発明では、上記電子回路装置において、前記第２の面に実装され、前記電力線通信信号について所定の周波数帯域を遮断するフィルタを更に備えたものを含む。である。
この構成によれば、マルチキャリア信号の変調処理および復調処理の少なくとも一方を行うデジタル部品とフィルタとが、基板の異なる表面にそれぞれ実装され、基板で相互に遮蔽された構造となっているため、デジタル部品によるノイズの影響がフィルタに到達するのを抑制することができる。また、この基板は積層基板を用いるようにすることで、より、第１の面と第２の面との遮蔽効果を高めることができる。また、絶縁層を介して積層された複数の導電層で構成された積層基板を用いることで、貫通ビアを用いることなく接地端子と接地層とを接続できるので、マルチキャリア信号処理により集積回路やフィルタの実装面積が大きくなったとしても、積層基板の両面を実装面として効率良く用いることが出来、その結果、電子回路装置の小型化を図ることが出来る。
【０１６６】
また、本発明では、上記電子回路装置において前記フィルタは、前記一対の線路のそれぞれから見たインピーダンスがほぼ同一である平衡型フィルタであるものを含む。
この構成によれば、デジタル部品と相対向する面に平衡型フィルタを実装することにより、平衡型フィルタへのノイズの影響を低減することが可能となる。また、通常はチップインダクタやチップコンデンサなどのチップ部品を組み合わせて実装する平衡型フィルタは、実装面積が大きくなりやすいが、この構成によれば、電力線通信に用いられる平衡型フィルタの実装面積が大きくなったとしても、電子回路基板の小型化を図ることが出来る。
【０１６７】
また、本発明では、上記電子回路装置において、前記電子回路装置から出力された電力線通信信号を前記電力線に伝送される交流電圧に重畳し、前記電力線に伝送される交流電圧から電力線通信信号を分離して前記実装基板に出力するカプラを備えた電力線通信装置を含む。
この構成によれば、高速通信が可能でかつ低ノイズで、信頼性の高い電力線通信装置を提供することが可能となる。
【０１６８】
また、本発明では、上記電子回路装置において、前記基板は、絶縁層を介して積層された複数の導電層を内部に有する第１の積層基板と、絶縁層を介して積層された複数の導電層を内部に有し、前記第１の積層基板と異なる第２の積層基板と、前記第１の積層基板と前記第２の積層基板との間に介在して、前記第１の積層基板と前記第２の積層基板を積層し、前記第１の積層基板と前記第２の積層基板を電気的に接続する導電路を備えた絶縁シートとを備えたものを含む。
この構成により、小型でかつ低ノイズの電子回路装置を提供することが可能となる。
【０１６９】
また、本発明では、上記電子回路装置において、前記絶縁シートに設けられ、当該電子回路基板に内蔵される内蔵回路素子を備え、前記内蔵回路素子が、前記導電路で囲まれたものを含む。
この構成によれば、導電性ペーストなどで導電路を、形成することにより、簡単な構成で確実なシールドを行うことが可能となる。また銅箔などで覆うようにしてもよい。
【０１７０】
また、本発明では、上記電子回路装置において、前記積層基板および前記他の積層基板は、基板厚さが等しく形成されたものを含む。
この構成によれば、基板の厚さが等しくなるように構成されているため、ヒートショックなどの温度変化の際における基板熱膨張の差による２つの積層基板と導電路を備えた絶縁シートとの剥離を防ぎ、２つの積層基板を接続する導電路の接続信頼性を向上することが可能となる。
【０１７１】
また、本発明では、上記電子回路装置において、前記絶縁シートに設けられ、当該基板に内蔵される内蔵回路素子を備え、前記複数の内蔵回路素子は、前記基板および前記他の基板のうち基板厚の厚い方の基板に実装されたものを含む。
この構成によれば、基板が薄くなっても、厚い側の基板にのみ回路部品が実装されるため、薄い基板の反りを防ぎ、導電路を備えた絶縁シートすなわちコンポジットシートとの積層に際して２つの積層基板を接続する導電路の接続信頼性を向上することが可能となる。
【０１７２】
また、本発明では、上記電子回路装置において、前記絶縁シートは、無機フィラーと熱硬化性樹脂とを含む。
この構成によれば、無機フィラーの選択により熱膨張率、誘電率と熱伝導率の制御をおこなうことが可能であり、２つの積層基板を接続する導電路の接続信頼性の向上や、放熱性の向上を図ることができる。
【０１７３】
また、本発明では、電子回路装置において、前記絶縁シートは、７０重量％〜９５重量％の無機フィラーと熱硬化性樹脂とを含む。
この構成によれば、熱膨張率を２つの積層基板と合わせることができ、前記絶縁シートと２つの積層基板との熱膨張の差によるヒートショックなどの温度変化の際における２つの積層基板と導電路を備えた絶縁シートとの剥離を防ぎ、２つの積層基板を接続する導電路の接続信頼性を向上することが可能である。また前記絶縁シートと２つの積層基板との積層の際に絶縁シートに接する面に実装された回路部品にかかる圧力を抑え、回路部品の損傷を防ぐことができる。なお積層基板は所望のパターンの形成された導電層間に絶縁層を挟んで形成されるが、この絶縁層も同様に無機フィラーと熱硬化性樹脂とで構成することができる。この絶縁シートは積層基板を構成する絶縁層よりも硬化温度が低い熱硬化性樹脂で構成しておくことにより、積層基板同士を、絶縁シートを介して固着する際、積層基板の絶縁層が熱処理により劣化するのを防止することができる。
【０１７４】
また、本発明では、上記電子回路装置において、前記コネクタが、前記基板の一端近傍に設けられ、前記発熱部品が、前記接続部に対して対角線上の端縁部に設けられたものを含む。
この構成によれば、発熱部品をコネクタに対して遠い位置に設けているため、発熱部品からの熱はコネクタに到達する前に放熱されるようにすることができる。また、この基板の第１の面側に放熱板を配設することで、効率よく放熱することができる。
【０１７５】
また、本発明では、上記電子回路装置において、前記基板の第１の面に、放熱部材が設けられたものを含む。この構成により、熱接触性を高めることができ、放熱性をより向上することができる。
【０１７６】
また、本発明では、上記電子回路装置において、前記基板の第１の面に、絶縁性の弾性部材を介して放熱部材が設けられたものを含む。この構成により、基板の第１の面に搭載される部品の高さをこの弾性部材で吸収でき密着性を高めることで、熱接触性を高めることができ、放熱性をより向上することができる。
【０１７７】
また、本発明では、上記電子回路装置において、前記接続部が、前記基板の第２の面の一端近傍に設けられ、前記発熱部品が、前記基板の第２の面の他の一端近傍に設けられたものを含む。
この構成によれば、発熱部品をコネクタに対して遠い位置に設けているため、発熱部品からの熱はコネクタに到達する前に放熱されるようにすることができる。
【０１７８】
なお、本発明の対象とするデジタル部品を構成する集積回路としては、必ずしもメインＩＣのような変復調回路である必要はなく、ＡＦＥ・ＩＣなど、多数の接地端子を備えた集積回路の実装に適用可能である。
【０１７９】
上記構成により、デジタル部品を第１の面に実装し、前記第１の面に対向する第２の面にアナログ部品および接続部を実装しており、第２の面が実装基板に対向する形態となるため、基板の第１の面からは、デジタル部品からの発熱が効率よく放熱されると共に、第２の面側は第２の面側に放熱されるため、電子回路基板に熱が蓄積されるのを防止することができる。
またアナログ部品のうち発熱量の大きいアンプなどのデジタル部品を第１の面に実装し、前記第１の面に対向する第２の面に発熱量の大きなアナログ部品および接続部を実装しており、第２の面が実装基板に対向する形態となるため、基板に熱が蓄積されるのを防止することができるとともに、デジタル部品からの発熱を基板の第１の面から、効率よく放熱することができる。
また、基板として、絶縁層を挟んで複数の導電層が形成された積層基板を用い、マルチキャリア信号の信号処理を行うように構成されたイーサネット（登録商標） ＰＨＹ ＩＣなどのデジタル部品の搭載された電子回路装置において、積層基板を構成する複数の導電層のうち、集積回路に対して最も近くに配置された導電層が、前記複数の接地端子に電気的に接続されることにより、接地端子と導電層との距離が最短となり、積層基板を貫通させるビアホール（貫通ビア）を形成することなく、加工精度を維持しつつ接地端子と導電層とを接続することが出来る。
【産業上の利用可能性】
【０１８０】
本発明の電子回路基板および電子回路装置によれば、特にオペアンプなどの発熱部品の搭載位置をデジタル部品の反対側の面にすると共に、接続部から離間して配しているため、放熱性を高め、ノイズの影響を受けないように構成できるため、高速電力線通信など、種々の分野に適用可能である。
【図面の簡単な説明】
【０１８１】
【図１】本発明の実施の形態１の電子回路基板を用いたＰＬＣ回路モジュールをマザーボード１１０に実装した状態を示す斜視図
【図２】本発明の実施の形態１の電子回路基板を用いたＰＬＣ回路モジュールをマザーボード１１０に実装した状態を示す断面説明図
【図３】本発明の実施の形態１の電子回路基板を用いたＰＬＣ回路モジュールを示す断面要部説明図
【図４】本発明の実施の形態１のＰＬＣ回路モジュールを構成する電子回路基板の上面のレイアウトを示す図
【図５】本発明の実施の形態１のＰＬＣ回路モジュールを構成する電子回路基板の上面、下面、内蔵部品を示す図
【図６】本発明の実施の形態１のＰＬＣモデムの外観を示す図
【図７】本発明の実施の形態１のＰＬＣモデムの断面図
【図８】本発明の実施の形態１のＰＬＣモデムのハードウェアの一例を示すブロック図
【図９】本発明の実施の形態１のＰＬＣモジュールのＰＬＣ・ＩＣ２１０によって実現されるデジタル信号処理部の一例の概略機能ブロック図
【図１０】本発明の実施の形態１のＰＬＣ回路モジュールに用いられる平衡型フィルタを示す等価回路図
【図１１】本発明の実施の形態１のＰＬＣ回路モジュールに用いられる第２の積層基板の構成を示す図
【図１２】（ａ）〜（ｆ）は本発明の実施の形態１のＰＬＣモジュールの製造工程の一実施の形態を示す斜視図
【図１３】（ａ）〜（ｆ）は本発明の実施の形態１のＰＬＣモジュールの製造工程の一実施の形態を示す断面図
【図１４】（ａ）〜（ｆ）は本発明の実施の形態１のＰＬＣモジュールに用いられる第１の積層基板の製造工程を示す断面図
【図１５】本発明の実施の形態２のＰＬＣ回路モジュールを示す説明図
【図１６】本発明の実施の形態３のＰＬＣ回路モジュールを示す説明図
【図１７】本発明の実施の形態１のＰＬＣ回路モジュールの面内電磁界分布を測定した結果を示す説明図
【図１８】本発明の実施の形態１のＰＬＣ回路モジュールの第１の積層基板の動作説明図
【図１９】本発明の実施の形態４のＰＬＣ回路モジュールの説明図
【図２０】比較例のＰＬＣ回路モジュールの説明図
【図２１】本発明の実施の形態５のＰＬＣ回路モジュールの説明図
【図２２】比較例のＰＬＣ回路モジュールの説明図
【図２３】本発明の実施の形態６のＰＬＣ回路モジュールの説明図  （ａ）は断面図、（ｂ）は第１の面を示す平面図、（ｃ）は第２の面を示す平面図
【符号の説明】
【０１８２】
１１、１２、１３、１４、１５、１６  金属層
１５  接地層
１００  ＰＬＣモデム
１０１  筐体
１０２  電源コネクタ
１０３  ＲＪ４５コネクタ
１０５  表示部
２００  （ＰＬＣ用）回路モジュール
２１０  ＰＬＣ・ＩＣ
２１１  ＣＰＵ
２１２  ＰＬＣ・ＭＡＣブロック
２１３  ＰＬＣ・ＰＨＹブロック
２２０  ＡＦＥ・ＩＣ
２２１  ＤＡ変換器（ＤＡＣ）
２２２  ＡＤ変換器（ＡＤＣ）
２２３  可変増幅器（ＶＧＡ）
２３０  イーサネットＰＨＹ・ＩＣ
２５１  ローパスフィルタ
２５２  オペアンプ（ドライバＩＣ）
２６０  平衡型フィルタ（バンドパスフィルタ）
２７０  カプラ
２７１  コイルトランス
２７２ａ、２７２ｂ  カップリング用コンデンサ
３００  スイッチング電源
４００  電源プラグ
５００  コンセント
６００  電源ケーブル
９００  電力線
２１１０  制御部
２１１１  シンボルマッパ
２１１２  シリアル−パラレル変換器
２１１３  逆ウェーブレット変換器
２１１４  ウェーブレット変換器
２１１５  パラレル−シリアル変換器
２１１６  デマッパ
【図１】
0005225721.tif 000002
【図２】
0005225721.tif 000003
【図３】
0005225721.tif 000004
【図４】
0005225721.tif 000005
【図５】
0005225721.tif 000006
【図６】
0005225721.tif 000007
【図７】
0005225721.tif 000008
【図８】
0005225721.tif 000009
【図９】
0005225721.tif 000010
【図１０】
0005225721.tif 000011
【図１１】
0005225721.tif 000012
【図１２】
0005225721.tif 000013
【図１３】
0005225721.tif 000014
【図１４】
0005225721.tif 000015
【図１５】
0005225721.tif 000016
【図１６】
0005225721.tif 000017
【図１７】
0005225721.tif 000018
【図１８】
0005225721.tif 000019
【図１９】
0005225721.tif 000020
【図２０】
0005225721.tif 000021
【図２１】
0005225721.tif 000022
【図２２】
0005225721.tif 000023
【図２３】
0005225721.tif 000024